(57)【要約】【課題】  多原色による画像表示が可能な画像表示デバイスを安価に提供し得る映像信号処理回路を提供する。【解決手段】  画像表示パネルによる画像表示に用いられる原色１・２・…・Ｊのそれぞれについて、各画素に入力される映像信号Ｄ１１・Ｄ１２…が時系列に沿って連続するように構成されるＪ系統の映像信号列１１・１２・…の中から、画像表示パネル５において各画素にＪ原色のいずれかが配色されている順番と、３つの映像信号のそれぞれにより表示される原色の順番とが一致するように映像信号を３つずつ抽出し、その３つの映像信号のそれぞれが３つの系統r-line・g-line・b-lineのうちいずれかに属するように順次並べて３系統の映像信号Ｒ（ｔ）・Ｇ（ｔ）・Ｂ（ｔ）を構成する。【選択図】  図１
2005321659.tif 000002
【特許請求の範囲】
【請求項１】
複数の画素がマトリクス状に配設された画像表示パネルにおける各画素に入力される映像信号を変換する映像信号処理回路において、
上記画像表示パネルによる画像表示に用いられるＪ原色（Ｊは４以上の整数）のそれぞれについて、各画素に入力される映像信号が時系列に沿って連続するように構成されるＪ系統の映像信号列の中から、上記画像表示パネルにおいて各画素にＪ原色のいずれかが配色されている順番と、３つの映像信号のそれぞれにより表示される原色の順番とが一致するように映像信号を３つずつ抽出し、その３つの映像信号のそれぞれが３つの系統のうちいずれかに属するように順次並べて３系統の映像信号列を構成することを特徴とする映像信号処理回路。
【請求項２】
上記Ｊ系統の映像信号列に含まれる映像信号を、Ｄｍｎとして表し（ｍは、１からＪまでの整数、ｎは、その映像信号が各原色のうち何番目に表示される画素に入力されるかを示す整数）、
上記３系統の映像信号列に含まれる映像信号を、Ｒ（ｔ）・Ｇ（ｔ）・Ｂ（ｔ）として表した場合（ｔは、その映像信号が属する映像信号列において何番目に並ぶ映像信号であるかを示す整数）、
以下の数式に基づき、Ｊ系統の映像信号列を３系統の映像信号列に並び替えることを特徴とする請求項１に記載の映像信号処理回路。
Ｒ（ｔ）＝Ｄｒｘｒｙ
Ｇ（ｔ）＝Ｄｇｘｇｙ
Ｂ（ｔ）＝Ｄｂｘｂｙ
但し、
ｒｘ＝｛３（ｔ−１）＋１｝−Ｊ・Int[｛３（ｔ−１）｝／Ｊ]
ｒｙ＝Int[｛３（ｔ−１）｝／Ｊ]＋１
ｇｘ＝｛３（ｔ−１）＋２｝−Ｊ・Int[｛３（ｔ−１）＋１｝／Ｊ]
ｇｙ＝Int[｛３（ｔ−１）＋１｝／Ｊ]＋１
ｂｘ＝｛３（ｔ−１）＋３｝−Ｊ・Int[｛３（ｔ−１）＋２｝／Ｊ]
ｂｙ＝Int[｛３（ｔ−１）＋２｝／Ｊ]＋１
（Int[  ]は、括弧内の小数点以下を切り捨てた値が出力される）。
【請求項３】
上記Ｊ系統の映像信号列の中から、任意に選択される２つの映像信号列に含まれる映像信号を、抽出元となる映像信号列を該２つの映像信号列から交互に選択しながら抽出するとともに、抽出された映像信号を時系列でならべて１つの映像信号列を生成することにより、Ｊ系統の映像信号列を（Ｊ−１）系統の映像信号列に変換し、
上記（Ｊ−１）系統の映像信号列に含まれる映像信号を、Ｄｍｎとして表し（ｍは、１からＪ−１までの整数、ｎは、その映像信号が各原色のうち何番目に表示される画素に入力されるかを示す整数）、
上記３系統の映像信号列に含まれる映像信号を、Ｒ（ｔ）・Ｇ（ｔ）・Ｂ（ｔ）として表した場合（ｔは、その映像信号が属する映像信号列において何番目に並ぶ映像信号であるかを示す整数）、
以下の数式に基づき、（Ｊ−１）系統の映像信号列を３系統の映像信号列に並び替えることを特徴とする請求項１に記載の映像信号処理回路。
Ｒ（ｔ）＝Ｄｒｘｒｙ
Ｇ（ｔ）＝Ｄｇｘｇｙ
Ｂ（ｔ）＝Ｄｂｘｂｙ
但し、
ｒｘ＝｛３（ｔ−１）＋１｝−（Ｊ−１）・Int[｛３（ｔ−１）｝／（Ｊ−１）]
ｒｙ＝Int[｛３（ｔ−１）｝／（Ｊ−１）]＋１
ｇｘ＝｛３（ｔ−１）＋２｝−（Ｊ−１）・Int[｛３（ｔ−１）＋１｝／（Ｊ−１）]
ｇｙ＝Int[｛３（ｔ−１）＋１｝／（Ｊ−１）]＋１
ｂｘ＝｛３（ｔ−１）＋３｝−（Ｊ−１）・Int[｛３（ｔ−１）＋２｝／（Ｊ−１）]
ｂｙ＝Int[｛３（ｔ−１）＋２｝／（Ｊ−１）]＋１
（Int[  ]は、括弧内の小数点以下を切り捨てた値が出力される）。
【請求項４】
上記Ｊ系統の映像信号列の中から任意に選択される２つの映像信号列について、各映像信号列内で同じ順位で並べられている映像信号を合成するとともに、合成された映像信号を時系列でならべて１つの映像信号列を生成することにより、Ｊ系統の映像信号列を（Ｊ−１）系統の映像信号列に変換し、
上記（Ｊ−１）系統の映像信号列に含まれる映像信号を、Ｄｍｎとして表し（ｍは、１からＪ−１までの整数、ｎは、その映像信号が各原色のうち何番目に表示される画素に入力されるかを示す整数）、
上記３系統の映像信号列に含まれる映像信号を、Ｒ（ｔ）・Ｇ（ｔ）・Ｂ（ｔ）として表した場合（ｔは、その映像信号が属する映像信号列において何番目に並ぶ映像信号であるかを示す整数）、
以下の数式に基づき、（Ｊ−１）系統の映像信号列を３系統の映像信号列に並び替えることを特徴とする請求項１に記載の映像信号処理回路。
Ｒ（ｔ）＝Ｄｒｘｒｙ
Ｇ（ｔ）＝Ｄｇｘｇｙ
Ｂ（ｔ）＝Ｄｂｘｂｙ
但し、
ｒｘ＝｛３（ｔ−１）＋１｝−（Ｊ−１）・Int[｛３（ｔ−１）｝／（Ｊ−１）]
ｒｙ＝Int[｛３（ｔ−１）｝／（Ｊ−１）]＋１
ｇｘ＝｛３（ｔ−１）＋２｝−（Ｊ−１）・Int[｛３（ｔ−１）＋１｝／（Ｊ−１）]
ｇｙ＝Int[｛３（ｔ−１）＋１｝／（Ｊ−１）]＋１
ｂｘ＝｛３（ｔ−１）＋３｝−（Ｊ−１）・Int[｛３（ｔ−１）＋２｝／（Ｊ−１）]
ｂｙ＝Int[｛３（ｔ−１）＋２｝／（Ｊ−１）]＋１
（Int[  ]は、括弧内の小数点以下を切り捨てた値が出力される）。
【請求項５】
上記Ｊ系統の映像信号列に含まれる映像信号を、Ｄｍｎとして表し（ｍは、１からＪまでの整数、ｎは、その映像信号が各原色のうち何番目に表示される画素に入力されるかを示す整数）、
上記３系統の映像信号列に含まれる映像信号を、Ｒ（ｔ）・Ｇ（ｔ）・Ｂ（ｔ）として表し（ｔは、その映像信号が属する映像信号列において何番目に並ぶ映像信号であるかを示す整数）、
ソースドライバにおける３系統の出力端子を、ｒ（ｌ）・ｇ（ｌ）・ｂ（ｌ）として表した場合（ｌは、その出力端子が、自身の属する系統において何番目に並ぶ出力端子であるかを示す整数）、
Ｊ系統の映像信号における映像信号Ｄ１１が、出力端子ｒ(Ｓ)、出力端子ｇ(Ｓ)、および出力端子ｂ（Ｓ）のうちいずれかに入力される場合、以下の数式に基づき、Ｊ系統の映像信号列を３系統の映像信号列に並び替えることを特徴とする請求項１に記載の映像信号処理回路。
Ｒ（ｔ）＝Ｄｒｘｒｙ
Ｇ（ｔ）＝Ｄｇｘｇｙ
Ｂ（ｔ）＝Ｄｂｘｂｙ
但し、
ｒｘ＝｛３（ｔ−Ｓ）＋Ａ＋１｝−Ｊ・Int[｛３（ｔ−Ｓ）＋Ａ｝／Ｊ]
ｒｙ＝Int[｛３（ｔ−Ｓ）＋Ａ｝／Ｊ]＋１
ｇｘ＝｛３（ｔ−Ｓ）＋Ａ＋２｝−Ｊ・Int[｛３（ｔ−Ｓ）＋Ａ＋１｝／Ｊ]
ｇｙ＝Int[｛３（ｔ−Ｓ）＋Ａ＋１｝／Ｊ]＋１
ｂｘ＝｛３（ｔ−Ｓ）＋Ａ＋３｝−Ｊ・Int[｛３（ｔ−Ｓ）＋Ａ＋２｝／Ｊ]
ｂｙ＝Int[｛３（ｔ−Ｓ）＋Ａ＋２｝／Ｊ]＋１
であって、
（１）出力端子ｒ（Ｓ）に映像信号Ｄ１１が入力される場合、Ａ＝０
（２）出力端子ｇ（Ｓ）に映像信号Ｄ１１が入力される場合、Ａ＝−１
（３）出力端子ｂ（Ｓ）に映像信号Ｄ１１が入力される場合、Ａ＝−２
（Int[  ]は、括弧内の小数点以下を切り捨てた値が出力される。また、Ｓは、（１）〜（３）に場合分けした際における、映像信号Ｄ１１に対応する出力端子ｒ（）、出力端子ｇ（）、および出力端子ｂ（）のうち、いずれかの出力端子の括弧内の数字として設定される）。
【請求項６】
上記Ｊ系統の映像信号列の中から、任意に選択される２つの映像信号列に含まれる映像信号を、抽出元となる映像信号列を該２つの映像信号列から交互に選択しながら抽出するとともに、抽出された映像信号を時系列でならべて１つの映像信号列を生成することにより、Ｊ系統の映像信号列を（Ｊ−１）系統の映像信号列に変換し、
上記（Ｊ−１）系統の映像信号列に含まれる映像信号を、Ｄｍｎとして表し（ｍは、１からＪ−１までの整数、ｎは、その映像信号が各原色のうち何番目に表示される画素に入力されるかを示す整数）、
上記３系統の映像信号列に含まれる映像信号を、Ｒ（ｔ）・Ｇ（ｔ）・Ｂ（ｔ）として表し（ｔは、その映像信号が属する映像信号列において何番目に並ぶ映像信号であるかを示す整数）、
ソースドライバにおける３系統の出力端子を、ｒ（ｌ）・ｇ（ｌ）・ｂ（ｌ）として表した場合（ｌは、その出力端子が、自身の属する系統において何番目に並ぶ出力端子であるかを示す整数）、
（Ｊ−１）系統の映像信号における映像信号Ｄ１１が、出力端子ｒ(Ｓ)、出力端子ｇ(Ｓ）、および出力端子ｂ（Ｓ）のうちいずれかに入力される場合、以下の数式に基づき、（Ｊ−１）系統の映像信号列を３系統の映像信号列に並び替えることを特徴とする請求項１に記載の映像信号処理回路。
Ｒ（ｔ）＝Ｄｒｘｒｙ
Ｇ（ｔ）＝Ｄｇｘｇｙ
Ｂ（ｔ）＝Ｄｂｘｂｙ
但し、
ｒｘ＝｛３（ｔ−Ｓ）＋Ａ＋１｝−（Ｊ−１）・Int[｛３（ｔ−Ｓ）＋Ａ｝／（Ｊ−１）]
ｒｙ＝Int[｛３（ｔ−Ｓ）＋Ａ｝／（Ｊ−１）]＋１
ｇｘ＝｛３（ｔ−Ｓ）＋Ａ＋２｝−（Ｊ−１）・Int[｛３（ｔ−Ｓ）＋Ａ＋１｝／（Ｊ−１）]
ｇｙ＝Int[｛３（ｔ−Ｓ）＋Ａ＋１｝／（Ｊ−１）]＋１
ｂｘ＝｛３（ｔ−Ｓ）＋Ａ＋３｝−（Ｊ−１）・Int[｛３（ｔ−Ｓ）＋Ａ＋２｝／（Ｊ−１）]
ｂｙ＝Int[｛３（ｔ−Ｓ）＋Ａ＋２｝／（Ｊ−１）]＋１
であって、
（１）出力端子ｒ（Ｓ）に映像信号Ｄ１１が入力される場合、Ａ＝０
（２）出力端子ｇ（Ｓ）に映像信号Ｄ１１が入力される場合、Ａ＝−１
（３）出力端子ｂ（Ｓ）に映像信号Ｄ１１が入力される場合、Ａ＝−２
（Int[  ]は、括弧内の小数点以下を切り捨てた値が出力される。また、Ｓは、（１）〜（３）に場合分けした際における、映像信号Ｄ１１に対応する出力端子ｒ（）、出力端子ｇ（）、および出力端子ｂ（）のうち、いずれかの出力端子の括弧内の数字として設定される）。
【請求項７】
上記Ｊ系統の映像信号列の中から任意に選択される２つの映像信号列について、各映像信号列内で同じ順位で並べられている映像信号を合成するとともに、合成された映像信号を時系列でならべて１つの映像信号列を生成することにより、Ｊ系統の映像信号列を（Ｊ−１）系統の映像信号列に変換し、
上記（Ｊ−１）系統の映像信号列に含まれる映像信号を、Ｄｍｎとして表し（ｍは、１からＪ−１までの整数、ｎは、その映像信号が各原色のうち何番目に表示される画素に入力されるかを示す整数）、
上記３系統の映像信号列に含まれる映像信号を、Ｒ（ｔ）・Ｇ（ｔ）・Ｂ（ｔ）として表し（ｔは、その映像信号が属する映像信号列において何番目に並ぶ映像信号であるかを示す整数）、
ソースドライバにおける３系統の出力端子を、ｒ（ｌ）・ｇ（ｌ）・ｂ（ｌ）として表した場合（ｌは、その出力端子が、自身の属する系統において何番目に並ぶ出力端子であるかを示す整数）、
（Ｊ−１）系統の映像信号における映像信号Ｄ１１が、出力端子ｒ(Ｓ)、出力端子ｇ(Ｓ）、および出力端子ｂ（Ｓ）のうちいずれかに入力される場合、以下の数式に基づき、（Ｊ−１）系統の映像信号列を３系統の映像信号列に並び替えることを特徴とする請求項１に記載の映像信号処理回路。
Ｒ（ｔ）＝Ｄｒｘｒｙ
Ｇ（ｔ）＝Ｄｇｘｇｙ
Ｂ（ｔ）＝Ｄｂｘｂｙ
但し、
ｒｘ＝｛３（ｔ−Ｓ）＋Ａ＋１｝−（Ｊ−１）・Int[｛３（ｔ−Ｓ）＋Ａ｝／（Ｊ−１）]
ｒｙ＝Int[｛３（ｔ−Ｓ）＋Ａ｝／（Ｊ−１）]＋１
ｇｘ＝｛３（ｔ−Ｓ）＋Ａ＋２｝−（Ｊ−１）・Int[｛３（ｔ−Ｓ）＋Ａ＋１｝／（Ｊ−１）]
ｇｙ＝Int[｛３（ｔ−Ｓ）＋Ａ＋１｝／（Ｊ−１）]＋１
ｂｘ＝｛３（ｔ−Ｓ）＋Ａ＋３｝−（Ｊ−１）・Int[｛３（ｔ−Ｓ）＋Ａ＋２｝／（Ｊ−１）]
ｂｙ＝Int[｛３（ｔ−Ｓ）＋Ａ＋２｝／（Ｊ−１）]＋１
であって、
（１）出力端子ｒ（Ｓ）に映像信号Ｄ１１が入力される場合、Ａ＝０
（２）出力端子ｇ（Ｓ）に映像信号Ｄ１１が入力される場合、Ａ＝−１
（３）出力端子ｂ（Ｓ）に映像信号Ｄ１１が入力される場合、Ａ＝−２
（Int[  ]は、括弧内の小数点以下を切り捨てた値が出力される。また、Ｓは、（１）〜（３）に場合分けした際における、映像信号Ｄ１１に対応する出力端子ｒ（）、出力端子ｇ（）、および出力端子ｂ（）のうち、いずれかの出力端子の括弧内の数字として設定される）。
【請求項８】
複数の画素がマトリクス状に配設された画像表示デバイスにおける各画素に入力される映像信号を変換する映像信号処理方法において、
上記画像表示デバイスによる画像表示に用いられるＪ原色（Ｊは４以上の整数）のそれぞれについて、各画素に入力される映像信号が時系列に沿って連続するように構成されるＪ系統の映像信号列の中から、上記画像表示パネルにおいて各画素にＪ原色のいずれかが配色されている順番と、３つの映像信号のそれぞれにより表示される原色の順番とが一致するように映像信号を３つずつ抽出する第１ステップと、
上記第１ステップにおいて抽出された３つの映像信号のそれぞれが３つの系統のうちいずれかに属するように順次並べて３系統の映像信号列を構成する第２ステップとを備えていることを特徴とする映像信号処理方法。
【請求項９】
コンピュータに請求項８に記載の映像信号処理方法における各ステップを実行させるための映像信号処理プログラム。
【請求項１０】
請求項９に記載の映像信号処理プログラムを記録したコンピュータ読み取り可能な記録媒体。
【発明の詳細な説明】
【技術分野】
【０００１】
本発明は、カラー映像信号を表示するための映像信号処理回路に関するものであり、特に３原色より多い原色を用いてカラー映像を表示する画像表示デバイスに入力する、映像信号の信号処理に関するものである。
【背景技術】
【０００２】
一般に、カラーテレビ、カラーモニタなどの画像表示デバイスは、ＲＧＢ３原色を加法混色することにより色再現を行っている。これらの画像表示デバイスの内、マトリクス駆動を用いる画像表示デバイスがある。
【０００３】
まず、マトリクス駆動について図１０を用いて説明する。マトリクス型の画像表示デバイスの構造は、液晶画像表示デバイス、ＥＬ画像表示デバイス、ＰＤＰ（Plasma Display Panel：プラズマディスプレイパネル）の画像表示デバイスなどに一般に広く使われている。ただし、画像表示デバイスを構成する各部材の名称は、デバイスの種類によって異なることがある。したがって、本明細書では、液晶パネルにおける名称を用いて、マトリクス型の画像表示デバイスの構造を説明する。
【０００４】
マトリクス型の画像表示パネルは、図１０に示すように、縦に平行に並んだソースバスライン１００…と、各ソースバスラインと直交するように並ぶゲートバスライン２００…とで構成される。
【０００５】
ソースバスライン１００…は、画像表示パネルの端でソースドライバ３００に接続されており、ソースドライバ３００から各画素の映像入力信号が転送される。また、ゲートバスライン２００…は、画像表示パネルの端でゲートドライバ４００に接続されている。
【０００６】
そして、ソースドライバ３００は、各ソースラインの映像入力信号を蓄えており、ゲートドライバ４００によりＯＮ状態とされたゲートバスライン２００に、映像信号を書き込んでいく。そして、ゲートドライバ４００がゲートバスライン２００…を１ラインずつＯＮしていくことにより、画像表示パネルの全体を用いて画像を表示することができる。
【０００７】
また、カラー表示を行う場合、通常、ソースバスライン１００…は、Ｒ色の画素、Ｇ色の画素、およびＢ色の画素が規則的に並ぶように接続されているとともに、ソースドライバ３００…に接続されることになる。また、ソースドライバ３００…には、カラー表示用のものが使用され、ＲＧＢの３系統からなる入力ラインr-line・g-line・b-lineに、ＲＧＢの３色の映像信号が入力されている。
【０００８】
また、ソースドライバ３００に入力される映像信号を図１１に示す。図１１に示すように、映像入力信号は、ソースドライバ３００の入力ラインr-line・g-line・b-lineに対応して、Ｒ色の画素に入力する映像信号Ｒ（ｉ）、Ｇ色の画素に入力する映像信号Ｇ（ｉ）、およびＢ色の画素に入力する映像信号Ｂ（ｉ）が時系列に沿って連続するように構成されている（ｉは整数）。
【０００９】
なお、映像信号Ｒ（ｉ）は、最初に表示されるＲ色の画素から、ゲートバスライン方向に数えてｉ番目のＲ色の画素に入力される映像信号を意味している。同様に、映像信号Ｇ（ｉ）は、最初に表示されるＧ色の画素から、ゲートバスライン方向に数えてｉ番目のＧ色の画素に入力される映像信号を意味しており、映像信号Ｂ（ｉ）は、最初に表示されるＢ色の画素から、ゲートバスライン方向に数えてｉ番目のＢ色の画素に入力される映像信号を意味している。
【００１０】
また、ソースドライバ３００の出力端子は、ソースバスライン１００…により構成されるＲＧＢ色の配列に１対１に対応するようになっているので、画像表示パネルによるカラー表示が可能となる。
【００１１】
さらに、カラー表示用のソースドライバには、ＲＧＢ３系統の入力が２組存在しているものがある。これはＲＧＢの映像入力信号を、奇数ラインと偶数ラインとに分けて入力するものである。
【００１２】
つまり、図１１に示した映像入力信号を、図１２に示すように、映像信号Ｒ（２ｎ−１）・Ｇ（２ｎ−１）・Ｂ（２ｎ−１）からなる奇数ラインの映像入力信号と、映像信号Ｒ（２ｎ）・Ｇ（２ｎ）・Ｂ（２ｎ）からなる偶数ラインの映像入力信号とに分離する（ｎは整数）。このように分離された映像入力信号を、図１３に示すように、奇数ラインのソースバスライン１００…、および偶数ラインのソースバスライン１００…にそれぞれ入力していく。
【００１３】
このようにソースドライバ３００から映像入力信号を書き込む場合は、単にソースドライバ３００への入力段で、ＲＧＢ信号を奇数ラインと偶数ラインとにそれぞれ分離するだけの作業を行えばよいだけである。よって、このように映像信号を分離して画素に入力するドライバも、３系統の入力端子を有するドライバとして扱う。
【００１４】
一方、ＲＧＢの３原色のほかに、他の原色を追加することにより、４つ以上の原色を用いて画像表示を行う画像表示デバイスが提案されている。４つ以上の原色を用いる画像表示デバイスは、ＣＩＥ色度図上でＲＧＢ原色で作られる再現範囲外に表示可能な色再現範囲を設定できるので、ＲＧＢ３原色の画像表示デバイスより色再現範囲を広く取ることができる。
【００１５】
そして、このような４つ以上の原色を用いる画像表示デバイスは、ソースドライバとして、４つ以上の原色に対応すべく、４つ以上の入力系統をもつ専用のドライバが用いられていた。
【００１６】
つまり、図１４に示すように、Ｊ原色（Ｊは４以上の整数）の画像表示パネル５００により多原色を用いた画像表示を行うとした場合、ソースドライバ５１０およびゲートドライバ５２０を制御するタイミングコントローラ６００には、Ｊ個の系統からなる映像信号（Ｊ原色映像信号）が入力される。したがって、ソースドライバ５１０としても、入力系統をＪ個有する多原色専用のソースドライバが使用されていた。
【特許文献１】特開平３−７８７９０号公報（１９９１年４月３日公開）
【発明の開示】
【発明が解決しようとする課題】
【００１７】
しかしながら、入力系統が４個以上ある多原色専用のソースドライバはそれほど普及しておらず、ソースドライバとしては入力系統がＲＧＢの３系統からなるものが一般的である。したがって、多原色専用のソースドライバを用いると、画像表示デバイスの製造コストが上がってしまうという問題を招来する。
【００１８】
本発明は、上記従来の問題点に鑑みなされたものであって、多原色による画像表示が可能な画像表示デバイスを安価に提供し得る映像信号処理回路、映像信号処理方法、映像信号処理プログラム、およびコンピュータ読み取り可能な記録媒体を提供することを目的とする。
【課題を解決するための手段】
【００１９】
本発明の映像信号処理回路は、上記課題を解決するために、複数の画素がマトリクス状に配設された画像表示パネルにおける各画素に入力される映像信号を変換する映像信号処理回路において、上記画像表示パネルによる画像表示に用いられるＪ原色（Ｊは４以上の整数）のそれぞれについて、各画素に入力される映像信号が時系列に沿って連続するように構成されるＪ系統の映像信号列の中から、上記画像表示パネルにおいて各画素にＪ原色のいずれかが配色されている順番と、３つの映像信号のそれぞれにより表示される原色の順番とが一致するように映像信号を３つずつ抽出し、その３つの映像信号のそれぞれが３つの系統のうちいずれかに属するように順次並べて３系統の映像信号列を構成することを特徴としている。
【００２０】
また、本発明の映像信号処理方法は、上記課題を解決するために、複数の画素がマトリクス状に配設された画像表示デバイスにおける各画素に入力される映像信号を変換する映像信号処理方法において、上記画像表示デバイスによる画像表示に用いられるＪ原色（Ｊは４以上の整数）のそれぞれについて、各画素に入力される映像信号が時系列に沿って連続するように構成されるＪ系統の映像信号列の中から、上記画像表示パネルにおいて各画素にＪ原色のいずれかが配色されている順番と、３つの映像信号のそれぞれにより表示される原色の順番とが一致するように映像信号を３つずつ抽出する第１ステップと、上記第１ステップにおいて抽出された３つの映像信号のそれぞれが３つの系統のうちいずれかに属するように順次並べて３系統の映像信号列を構成する第２ステップとを備えていることを特徴としている。
【００２１】
すなわち、複数の画素がマトリクス状に配設された画像表示パネルにおいては、ソースドライバとゲートドライバとを用いて、複数の画素をマトリクス駆動することにより、画像表示が行われる。
【００２２】
しかしながら、画像表示パネルが４つ以上の原色を用いて画像を表示するものである場合、各画素には４つ以上の原色のうちいずれかの原色が付されることになる。このように多原色を用いて画像表示を行う画像表示パネルに対して、画像表示に用いられている原色の数と同じ数の入出力系統を有するソースドライバを用いると、そのようなソースドライバは汎用的ではないため、画像表示パネルを含む画像表示デバイスの製造コストが上がってしまう。
【００２３】
そこで、本発明の映像信号処理回路および映像信号処理方法は、Ｊ系統の映像信号列から、画像表示パネルにおいて各画素にＪ原色のいずれかが配色されている順番と、３つの映像信号のそれぞれにより表示される原色の順番とが一致するように映像信号を３つずつ抽出する。そして、本発明においては、その３つの映像信号のそれぞれが３つの系統のうちいずれかに属するように順次並べて３系統の映像信号列を構成するので、抽出された３つの映像信号により表示される原色の順番が崩れることはない。つまり、本発明の映像信号処理回路により構成される３系統の映像信号列は、画像表示パネルにおけるＪ原色の配色順に対応した順番にて映像信号を含むことになる。
【００２４】
よって、本発明の映像信号処理回路および映像信号処理方法により出力される３系統の映像信号列を、３つの入出力系統を有するソースドライバに出力すれば、画像表示パネルにおけるＪ原色の配色順に対応した順番にて映像信号を出力することができる。したがって、その３つの入出力系統を有するソースドライバから、本発明の映像信号処理回路から入力された３系統の映像信号列を順次出力していくことにより、画像表示パネルにおけるＪ原色の配色順に対応した順番にて映像信号を出力することができる。つまり、本発明の映像信号処理回路および映像信号処理方法を用いれば、３つの入出力系統を有するソースドライバを用いて、Ｊ原色による画像表示が可能となる。
【００２５】
そして、このような３つの入出力系統を有するソースドライバは、たとえばＲＧＢ色を用いて画像表示を行う一般的な液晶画像表示パネルに用いられているものであり、汎用性の高いものである。したがって、本発明の映像信号処理回路および映像信号処理方法を用いれば、汎用性の高いソースドライバを用いてＪ原色による画像表示が可能となるので、画像表示デバイスの製造コストを低減することができる。
【００２６】
さらに、本発明の映像信号処理回路は、上記課題を解決するために、上記構成の映像信号処理回路において、上記Ｊ系統の映像信号列に含まれる映像信号を、Ｄｍｎとして表し（ｍは、１からＪまでの整数、ｎは、その映像信号が各原色のうち何番目に表示される画素に入力されるかを示す整数）、上記３系統の映像信号列に含まれる映像信号を、Ｒ（ｔ）・Ｇ（ｔ）・Ｂ（ｔ）として表した場合（ｔは、その映像信号が属する映像信号列において何番目に並ぶ映像信号であるかを示す整数）、以下の数式に基づき、Ｊ系統の映像信号列を３系統の映像信号列に並び替えることを特徴としている。
【００２７】
Ｒ（ｔ）＝Ｄｒｘｒｙ
Ｇ（ｔ）＝Ｄｇｘｇｙ
Ｂ（ｔ）＝Ｄｂｘｂｙ
但し、
ｒｘ＝｛３（ｔ−１）＋１｝−Ｊ・Int[｛３（ｔ−１）｝／Ｊ]
ｒｙ＝Int[｛３（ｔ−１）｝／Ｊ]＋１
ｇｘ＝｛３（ｔ−１）＋２｝−Ｊ・Int[｛３（ｔ−１）＋１｝／Ｊ]
ｇｙ＝Int[｛３（ｔ−１）＋１｝／Ｊ]＋１
ｂｘ＝｛３（ｔ−１）＋３｝−Ｊ・Int[｛３（ｔ−１）＋２｝／Ｊ]
ｂｙ＝Int[｛３（ｔ−１）＋２｝／Ｊ]＋１
（Int[  ]は、括弧内の小数点以下を切り捨てた値が出力される）。
【００２８】
上記構成によれば、予め設定された上述の式に従って、Ｊ系統の映像信号列を３系統の映像信号列に並び替えることができる。
【００２９】
つまり、上式において、Ｊ系統の映像信号列は、以下のように表現される。なお、説明の簡略化のため、Ｊを５に設定する。
【００３０】
原色１についての映像信号列：映像信号Ｄ１１・Ｄ１２・Ｄ１３…からなる映像信号列
原色２についての映像信号列：映像信号Ｄ２１・Ｄ２２・Ｄ２３…からなる映像信号列
…
原色５についての映像信号列：映像信号Ｄ５１・Ｄ５２・Ｄ５３…からなる映像信号列。
【００３１】
なお、原色１、原色２、原色３、原色４、および原色５は、この順番において、画像表示パネルにおける各画素に配色されているとする。
【００３２】
そして、上式において、ｔ＝１、２、３…というように、小さな整数から順番にｔとして代入してｒｘ、ｒｙ、ｇｘ、ｇｙ、ｂｘ、ｂｙを算出すると、映像信号Ｒ（ｔ）・Ｇ（ｔ）・Ｂ（ｔ）は以下のように求められる。
【００３３】
Ｒ（ｔ）：映像信号Ｄ１１・Ｄ４１・Ｄ２２…
Ｇ（ｔ）：映像信号Ｄ２１・Ｄ５１・Ｄ３２…
Ｂ（ｔ）：映像信号Ｄ３１・Ｄ１２・Ｄ４２…
つまり、上述の５系統の映像信号列が、以下に示す３系統の映像信号列に変換されたことになる。
【００３４】
第１系統：映像信号Ｄ１１・Ｄ４１・Ｄ２２…
第２系統：映像信号Ｄ２１・Ｄ５１・Ｄ３２…
第３系統：映像信号Ｄ３１・Ｄ１２・Ｄ４２…
そして、このように変換された３系統の映像信号列において、各系統で１番目に並ぶ映像信号は、映像信号Ｄ１１・Ｄ２１・Ｄ３１であり、これらの映像信号はそれぞれ、原色１・原色２・原色３に対応する映像信号である。つまり、画像表示パネルにおける５原色の配色順に対応した順番にて、５系統の映像信号列が３系統の映像信号列に変換されているといえる。
【００３５】
したがって、その３つの入出力系統を有するソースドライバから、本発明の映像信号処理回路から入力された３系統の映像信号列を順次出力していくことにより、画像表示パネルにおける５原色の配色順に対応した順番にて映像信号を出力することができる。つまり、本発明の映像信号処理回路を用いれば、３つの入出力系統を有するソースドライバを用いて、５原色による画像表示が可能となる。
【００３６】
特に、本発明においては、予め設定された式を用いて３系統の映像信号列を構成しているので、簡易な処理においてＪ系統の映像信号列を３系統の映像信号列に変換することができる。したがって、汎用性の高いソースドライバを用いることにより、画像表示デバイスの製造コストを低減できるというだけでなく、映像信号処理回路内の処理を簡略化することもできる。
【００３７】
さらに、本発明の映像信号処理回路は、上記構成の映像信号処理回路において、上記Ｊ系統の映像信号列の中から、任意に選択される２つの映像信号列に含まれる映像信号を、抽出元となる映像信号列を該２つの映像信号列から交互に選択しながら抽出するとともに、抽出された映像信号を時系列でならべて１つの映像信号列を生成することにより、Ｊ系統の映像信号列を（Ｊ−１）系統の映像信号列に変換し、上記（Ｊ−１）系統の映像信号列に含まれる映像信号を、Ｄｍｎとして表し（ｍは、１からＪ−１までの整数、ｎは、その映像信号が各原色のうち何番目に表示される画素に入力されるかを示す整数）、上記３系統の映像信号列に含まれる映像信号を、Ｒ（ｔ）・Ｇ（ｔ）・Ｂ（ｔ）として表した場合（ｔは、その映像信号が属する映像信号列において何番目に並ぶ映像信号であるかを示す整数）、以下の数式に基づき、（Ｊ−１）系統の映像信号列を３系統の映像信号列に並び替えることを特徴としている。
【００３８】
Ｒ（ｔ）＝Ｄｒｘｒｙ
Ｇ（ｔ）＝Ｄｇｘｇｙ
Ｂ（ｔ）＝Ｄｂｘｂｙ
但し、
ｒｘ＝｛３（ｔ−１）＋１｝−（Ｊ−１）・Int[｛３（ｔ−１）｝／（Ｊ−１）]
ｒｙ＝Int[｛３（ｔ−１）｝／（Ｊ−１）]＋１
ｇｘ＝｛３（ｔ−１）＋２｝−（Ｊ−１）・Int[｛３（ｔ−１）＋１｝／（Ｊ−１）]
ｇｙ＝Int[｛３（ｔ−１）＋１｝／（Ｊ−１）]＋１
ｂｘ＝｛３（ｔ−１）＋３｝−（Ｊ−１）・Int[｛３（ｔ−１）＋２｝／（Ｊ−１）]
ｂｙ＝Int[｛３（ｔ−１）＋２｝／（Ｊ−１）]＋１
（Int[  ]は、括弧内の小数点以下を切り捨てた値が出力される）。
【００３９】
すなわち、Ｊ個の原色を用いて画像表示を行う画像表示パネルにおいては、Ｊ個の原色に含まれる原色が各画素に対して１対１対応で付されているものばかりではない。つまり、画像表示パネルにおける（Ｊ−１）個の画素を１グループとしてみた場合、Ｊ個の原色のうちいずれか２つの原色が、各グループについて交互に配されている画像表示パネルも存在する。
【００４０】
このような画像表示パネルに対して、上述のＪ系統の映像信号列を３系統の映像信号列に並び替える変換式を用いて変換された３系統の映像信号列を用いて画像表示を行うと、各画素に付された原色と、該画素に入力される映像信号により表示される原色とが一致せず、適切な画像表示が行われない場合がある。
【００４１】
そこで、本発明では、特に、Ｊ系統の映像信号列の中から、任意に選択される２つの映像信号列に含まれる映像信号を、抽出元となる映像信号列を該２つの映像信号列から交互に選択しながら抽出するとともに、抽出された映像信号を時系列でならべて１つの映像信号列を生成することにより、Ｊ系統の映像信号列を（Ｊ−１）系統の映像信号列に変換する。
【００４２】
たとえば、Ｊが５である場合、つまり、原色１、原色２、原色３、原色４、および原色５からなる５原色のいずれか１色が、画像表示パネルにおける各画素に付されている場合を想定する。そして、該画像表示パネルにおいて、４つの画素を１グループとしてみた場合、原色４および原色５が、各グループについて交互に配されているとする。
【００４３】
この場合、本発明における映像信号の変換処理においては、原色４を表示するための映像信号列と、原色５を表示するための映像信号列とから、１つの映像信号列を生成するのである。
【００４４】
具体的には、原色４および原色５の映像信号列から生成される信号列を、原色４＊の映像信号列とする場合、原色４＊の映像信号列は、以下のように構成される。
【００４５】
原色４＊についての映像信号列：映像信号Ｄ４１・Ｄ５２・Ｄ４３…
そして、上記式に基づいて、原色１、原色２、原色３、および原色４＊の映像信号列を３系統の映像信号Ｒ（ｔ）・Ｇ（ｔ）・Ｂ（ｔ）に変換すると、以下のようになる。
【００４６】
第１系統：映像信号Ｄ１１・Ｄ４１・Ｄ３２…
第２系統：映像信号Ｄ２１・Ｄ１２・Ｄ５２…
第３系統：映像信号Ｄ３１・Ｄ２２・Ｄ１３…
そして、このように変換された３系統の映像信号列から、第１系統、第２系統、第３系統の順番で、映像信号を出力していくとする。そうすると、最初に出力される映像信号は、映像信号Ｄ１１・Ｄ２１・Ｄ３１・Ｄ４１であり、これらの映像信号はそれぞれ、原色１・原色２・原色３・原色４に対応する映像信号である。そして、その次に出力される映像信号は、映像信号Ｄ１２・Ｄ２２・Ｄ３２・Ｄ５２であり、これらの映像信号はそれぞれ、原色１・原色２・原色３・原色５に対応する映像信号である。
【００４７】
つまり、本発明の映像信号処理回路により変換された３系統の映像信号列を、４つの映像信号を１単位でみていくと、原色４および原色５の映像信号が交互に出力されていることがわかる。
【００４８】
したがって、その３つの入出力系統を有するソースドライバから、本発明の映像信号処理回路から入力された３系統の映像信号列を順次出力していくことにより、画像表示パネルにおける５原色の配色順に対応した順番にて映像信号を出力することができる。つまり、本発明の映像信号処理回路を用いれば、３つの入出力系統を有するソースドライバを用いて、Ｊ原色による画像表示が可能となる。
【００４９】
特に、本発明においては、予め設定された式を用いて３系統の映像信号列を構成しているので、簡易な処理においてＪ系統の映像信号列を３系統の映像信号列に変換することができる。したがって、汎用性の高いソースドライバを用いることにより、画像表示デバイスの製造コストを低減できるというだけでなく、映像信号処理回路内の処理を簡略化することもできる。
【００５０】
さらに、本発明の映像信号処理回路は、上記課題を解決するために、上記構成の映像信号処理回路において、上記Ｊ系統の映像信号列の中から任意に選択される２つの映像信号列について、各映像信号列内で同じ順位で並べられている映像信号を合成するとともに、合成された映像信号を時系列でならべて１つの映像信号列を生成することにより、Ｊ系統の映像信号列を（Ｊ−１）系統の映像信号列に変換し、上記（Ｊ−１）系統の映像信号列に含まれる映像信号を、Ｄｍｎとして表し（ｍは、１からＪ−１までの整数、ｎは、その映像信号が各原色のうち何番目に表示される画素に入力されるかを示す整数）、上記３系統の映像信号列に含まれる映像信号を、Ｒ（ｔ）・Ｇ（ｔ）・Ｂ（ｔ）として表した場合（ｔは、その映像信号が属する映像信号列において何番目に並ぶ映像信号であるかを示す整数）、以下の数式に基づき、（Ｊ−１）系統の映像信号列を３系統の映像信号列に並び替えることを特徴としている。
【００５１】
Ｒ（ｔ）＝Ｄｒｘｒｙ
Ｇ（ｔ）＝Ｄｇｘｇｙ
Ｂ（ｔ）＝Ｄｂｘｂｙ
但し、
ｒｘ＝｛３（ｔ−１）＋１｝−（Ｊ−１）・Int[｛３（ｔ−１）｝／（Ｊ−１）]
ｒｙ＝Int[｛３（ｔ−１）｝／（Ｊ−１）]＋１
ｇｘ＝｛３（ｔ−１）＋２｝−（Ｊ−１）・Int[｛３（ｔ−１）＋１｝／（Ｊ−１）]
ｇｙ＝Int[｛３（ｔ−１）＋１｝／（Ｊ−１）]＋１
ｂｘ＝｛３（ｔ−１）＋３｝−（Ｊ−１）・Int[｛３（ｔ−１）＋２｝／（Ｊ−１）]
ｂｙ＝Int[｛３（ｔ−１）＋２｝／（Ｊ−１）]＋１
（Int[  ]は、括弧内の小数点以下を切り捨てた値が出力される）。
【００５２】
上述したように、画像表示パネルにおける（Ｊ−１）個の画素を１グループとしてみた場合、Ｊ個の原色のうちいずれか２つの原色が、各グループについて交互に配されている画像表示パネルも存在する。
【００５３】
このような画像表示パネルに対して、上述のＪ系統の映像信号列を３系統の映像信号列に並び替える変換式を用いて変換された３系統の映像信号列を用いて画像表示を行うと、各画素に付された原色と、該画素に入力される映像信号により表示される原色とが一致せず、適切な画像表示が行われない場合がある。
【００５４】
そこで、本発明では、特に、Ｊ系統の映像信号列の中から任意に選択される２つの映像信号列について、各映像信号列内で同じ順位で並べられている映像信号を合成するとともに、合成された映像信号を時系列でならべて１つの映像信号列を生成することにより、Ｊ系統の映像信号列を（Ｊ−１）系統の映像信号列に変換する。なお、「映像信号を合成する」とは、映像信号に基づき表示される階調レベルの値を足し合わせることを意味する。
【００５５】
たとえば、Ｊが５である場合、つまり、原色１、原色２、原色３、原色４、および原色５からなる５原色のいずれか１色が、画像表示パネルにおける各画素に付されている場合を想定する。そして、該画像表示パネルにおいて、４つの画素を１グループとしてみた場合、原色４および原色５が、各グループについて交互に配されているとする。
【００５６】
この場合、本発明における映像信号の変換処理においては、原色４を表示するための映像信号列と、原色５を表示するための映像信号列とから、１つの映像信号列を生成するのである。
【００５７】
具体的には、原色４および原色５の映像信号列から生成される信号列を、原色４＊の映像信号列とする場合、原色４＊の映像信号列は、以下のように構成される。
【００５８】
（映像信号Ｄ４１＊により表示される階調レベル）＝｛（映像信号Ｄ４１により表示される階調レベル）＋（映像信号Ｄ４２により表示される階調レベル）｝／２
（映像信号Ｄ４２＊により表示される階調レベル）＝｛（映像信号Ｄ５１により表示される階調レベル）＋（映像信号Ｄ５２により表示される階調レベル）｝／２
（映像信号Ｄ４３＊により表示される階調レベル）＝｛（映像信号Ｄ４３により表示される階調レベル）＋（映像信号Ｄ４４により表示される階調レベル）｝／２
（映像信号Ｄ４４＊により表示される階調レベル）＝｛（映像信号Ｄ５３により表示される階調レベル）＋（映像信号Ｄ５４により表示される階調レベル）｝／２
…
そして、上記式に基づいて、原色１、原色２、原色３、および原色４＊の映像信号列を３系統の映像信号Ｒ（ｔ）・Ｇ（ｔ）・Ｂ（ｔ）に変換すると、以下のようになる。
【００５９】
第１系統：映像信号Ｄ１１・Ｄ４１＊・Ｄ３２…
第２系統：映像信号Ｄ２１・Ｄ１２・Ｄ４２＊…
第３系統：映像信号Ｄ３１・Ｄ２２・Ｄ１３…
そして、このように変換された３系統の映像信号列から、第１系統、第２系統、第３系統の順番で、映像信号を出力していくとする。そうすると、最初に出力される映像信号は、映像信号Ｄ１１・Ｄ２１・Ｄ３１・Ｄ４１＊であり、これらの映像信号はそれぞれ、原色１・原色２・原色３・原色４に対応する映像信号である。そして、その次に出力される映像信号は、映像信号Ｄ１２・Ｄ２２・Ｄ３２・Ｄ４２＊であり、これらの映像信号はそれぞれ、原色１・原色２・原色３・原色５に対応する映像信号である。
【００６０】
つまり、本発明の映像信号処理回路により変換された３系統の映像信号列を、４つの映像信号を１単位でみていくと、原色４および原色５の映像信号が交互に出力されていることがわかる。
【００６１】
したがって、その３つの入出力系統を有するソースドライバから、本発明の映像信号処理回路から入力された３系統の映像信号列を順次出力していくことにより、画像表示パネルにおける５原色の配色順に対応した順番にて映像信号を出力することができる。つまり、本発明の映像信号処理回路を用いれば、３つの入出力系統を有するソースドライバを用いて、Ｊ原色による画像表示が可能となる。
【００６２】
特に、本発明においては、予め設定された式を用いて３系統の映像信号列を構成しているので、簡易な処理においてＪ系統の映像信号列を３系統の映像信号列に変換することができる。したがって、汎用性の高いソースドライバを用いることにより、画像表示デバイスの製造コストを低減できるというだけでなく、映像信号処理回路内の処理を簡略化することもできる。
【００６３】
さらに、本発明においては、Ｊ系統の映像信号列の中から任意に選択される２つの映像信号列について、各映像信号列内で同じ順位で並べられている映像信号を合成するとともに、合成された映像信号を時系列でならべて１つの映像信号列を生成するので、Ｊ系統の映像信号列に含まれる全ての映像信号を考慮して３系統の映像信号列が構成される。よって、より適切な色合いによる画像表示が可能となる。
【００６４】
さらに、本発明の映像信号処理回路は、上記課題を解決するために、上記Ｊ系統の映像信号列に含まれる映像信号を、Ｄｍｎとして表し（ｍは、１からＪまでの整数、ｎは、その映像信号が各原色のうち何番目に表示される画素に入力されるかを示す整数）、
上記３系統の映像信号列に含まれる映像信号を、Ｒ（ｔ）・Ｇ（ｔ）・Ｂ（ｔ）として表し（ｔは、その映像信号が属する映像信号列において何番目に並ぶ映像信号であるかを示す整数）、
ソースドライバにおける３系統の出力端子を、ｒ（ｌ）・ｇ（ｌ）・ｂ（ｌ）として表した場合（ｌは、その出力端子が、自身の属する系統において何番目に並ぶ出力端子であるかを示す整数）、
Ｊ系統の映像信号における映像信号Ｄ１１が、出力端子ｒ(Ｓ)、出力端子ｇ(Ｓ)、および出力端子ｂ（Ｓ）のうちいずれかに入力される場合、以下の数式に基づき、Ｊ系統の映像信号列を３系統の映像信号列に並び替えることを特徴としている。
【００６５】
Ｒ（ｔ）＝Ｄｒｘｒｙ
Ｇ（ｔ）＝Ｄｇｘｇｙ
Ｂ（ｔ）＝Ｄｂｘｂｙ
但し、
ｒｘ＝｛３（ｔ−Ｓ）＋Ａ＋１｝−Ｊ・Int[｛３（ｔ−Ｓ）＋Ａ｝／Ｊ]
ｒｙ＝Int[｛３（ｔ−Ｓ）＋Ａ｝／Ｊ]＋１
ｇｘ＝｛３（ｔ−Ｓ）＋Ａ＋２｝−Ｊ・Int[｛３（ｔ−Ｓ）＋Ａ＋１｝／Ｊ]
ｇｙ＝Int[｛３（ｔ−Ｓ）＋Ａ＋１｝／Ｊ]＋１
ｂｘ＝｛３（ｔ−Ｓ）＋Ａ＋３｝−Ｊ・Int[｛３（ｔ−Ｓ）＋Ａ＋２｝／Ｊ]
ｂｙ＝Int[｛３（ｔ−Ｓ）＋Ａ＋２｝／Ｊ]＋１
であって、
（１）出力端子ｒ（Ｓ）に映像信号Ｄ１１が入力される場合、Ａ＝０
（２）出力端子ｇ（Ｓ）に映像信号Ｄ１１が入力される場合、Ａ＝−１
（３）出力端子ｂ（Ｓ）に映像信号Ｄ１１が入力される場合、Ａ＝−２
（Int[  ]は、括弧内の小数点以下を切り捨てた値が出力される。また、Ｓは、（１）〜（３）に場合分けした際における、映像信号Ｄ１１に対応する出力端子ｒ（）、出力端子ｇ（）、および出力端子ｂ（）のうち、いずれかの出力端子の括弧内の数字として設定される）。
【００６６】
つまり、上式において、Ｊ系統の映像信号列は、以下のように表現される。なお、説明の簡略化のため、Ｊを４に設定する。
【００６７】
原色１についての映像信号列：映像信号Ｄ１１・Ｄ１２・Ｄ１３…からなる映像信号列
原色２についての映像信号列：映像信号Ｄ２１・Ｄ２２・Ｄ２３…からなる映像信号列
…
原色４についての映像信号列：映像信号Ｄ４１・Ｄ４２・Ｄ４３…からなる映像信号列。
【００６８】
なお、原色１、原色２、原色３、および原色４は、この順番において、画像表示パネルにおける各画素に配色されているとする。
【００６９】
そして、上式において、ｔはＳ以上の自然数になるので、映像信号Ｄ１１が出力端子ｒ（Ｓ）、ｇ（Ｓ）、ｂ（Ｓ）のいずれかに入力されるかを判定した後、ｔ＝Ｓ、Ｓ＋１、Ｓ＋２…というように、小さな整数から順番にｔとして代入して、ｒｘ、ｒｙ、ｇｘ、ｇｙ、ｂｘ、ｂｙを算出すると、映像信号Ｒ（ｔ）・Ｇ（ｔ）・Ｂ（ｔ）は以下のように求められる。
【００７０】
（１）出力端子ｒ（Ｓ）に映像信号Ｄ１１が対応する場合、Ａ＝０となり
Ｒ（ｔ）：映像信号Ｄ１１・Ｄ４１・Ｄ３２…
Ｇ（ｔ）：映像信号Ｄ２１・Ｄ１２・Ｄ４２…
Ｂ（ｔ）：映像信号Ｄ３１・Ｄ２２・Ｄ１３…
つまり、
第１系統：映像信号Ｄ１１・Ｄ４１・Ｄ３２…
第２系統：映像信号Ｄ２１・Ｄ１２・Ｄ４２…
第３系統：映像信号Ｄ３１・Ｄ２２・Ｄ１３…
となる。
【００７１】
（２）出力端子ｇ（Ｓ）に映像信号Ｄ１１が対応する場合、Ａ＝−１となり
第１系統：映像信号―――・Ｄ３１・Ｄ２２…
第２系統：映像信号Ｄ１１・Ｄ４１・Ｄ３２…
第３系統：映像信号Ｄ２１・Ｄ１２・Ｄ４２…
となる。
【００７２】
なお、「―――」は、対応するＪ原色の映像信号が存在しないことを意味している。
【００７３】
（３）出力端子ｂ（Ｓ）に映像信号Ｄ１１が対応する場合、Ａ＝−２となり
第１系統：映像信号―――・Ｄ２１・Ｄ１２…
第２系統：映像信号―――・Ｄ３１・Ｄ２２…
第３系統：映像信号Ｄ１１・Ｄ４１・Ｄ３２…
となる。
【００７４】
なお、「―――」は、対応するＪ原色の映像信号が存在しないことを意味している。
【００７５】
このように変換された３系統の映像信号列からみてわかるように、画像表示パネルにおける４原色の配色順に対応した順番にて、４系統の映像信号列が３系統の映像信号列に変換されているといえる。
【００７６】
したがって、その３つの入出力系統を有するソースドライバから、本発明の映像信号処理回路から入力された３系統の映像信号列を順次出力していくことにより、画像表示パネルにおける４原色の配色順に対応した順番にて映像信号を出力することができる。つまり、本発明の映像信号処理回路を用いれば、３つの入出力系統を有するソースドライバを用いて、４原色による画像表示が可能となる。
【００７７】
特に、本発明においては、予め設定された式を用いて３系統の映像信号列を構成しているので、簡易な処理においてＪ系統の映像信号列を３系統の映像信号列に変換することができる。したがって、汎用性の高いソースドライバを用いることにより、画像表示デバイスの製造コストを低減できるというだけでなく、映像信号処理回路内の処理を簡略化することもできる。
【００７８】
もちろん、上記構成の映像信号処理回路においては、Ｊ個の原色のうちいずれか２つの原色が各グループについて交互に配されている画像表示パネルに対応するために、上述したＪ系統の映像信号列を（Ｊ−１）系統の映像信号列に変換する処理を適用することができる。
【００７９】
すなわち、本発明の映像信号処理回路は、上記Ｊ系統の映像信号列の中から、任意に選択される２つの映像信号列に含まれる映像信号を、抽出元となる映像信号列を該２つの映像信号列から交互に選択しながら抽出するとともに、抽出された映像信号を時系列でならべて１つの映像信号列を生成することにより、Ｊ系統の映像信号列を（Ｊ−１）系統の映像信号列に変換し、
上記（Ｊ−１）系統の映像信号列に含まれる映像信号を、Ｄｍｎとして表し（ｍは、１からＪ−１までの整数、ｎは、その映像信号が各原色のうち何番目に表示される画素に入力されるかを示す整数）、
上記３系統の映像信号列に含まれる映像信号を、Ｒ（ｔ）・Ｇ（ｔ）・Ｂ（ｔ）として表し（ｔは、その映像信号が属する映像信号列において何番目に並ぶ映像信号であるかを示す整数）、
ソースドライバにおける３系統の出力端子を、ｒ（ｌ）・ｇ（ｌ）・ｂ（ｌ）として表した場合（ｌは、その出力端子が、自身の属する系統において何番目に並ぶ出力端子であるかを示す整数）、
（Ｊ−１）系統の映像信号における映像信号Ｄ１１が、出力端子ｒ(Ｓ)、出力端子ｇ(Ｓ）、および出力端子ｂ（Ｓ）のうちいずれかに入力される場合、以下の数式に基づき、（Ｊ−１）系統の映像信号列を３系統の映像信号列に並び替えることを特徴とする構成であってもよい。
【００８０】
Ｒ（ｔ）＝Ｄｒｘｒｙ
Ｇ（ｔ）＝Ｄｇｘｇｙ
Ｂ（ｔ）＝Ｄｂｘｂｙ
但し、
ｒｘ＝｛３（ｔ−Ｓ）＋Ａ＋１｝−（Ｊ−１）・Int[｛３（ｔ−Ｓ）＋Ａ｝／（Ｊ−１）]
ｒｙ＝Int[｛３（ｔ−Ｓ）＋Ａ｝／（Ｊ−１）]＋１
ｇｘ＝｛３（ｔ−Ｓ）＋Ａ＋２｝−（Ｊ−１）・Int[｛３（ｔ−Ｓ）＋Ａ＋１｝／（Ｊ−１）]
ｇｙ＝Int[｛３（ｔ−Ｓ）＋Ａ＋１｝／（Ｊ−１）]＋１
ｂｘ＝｛３（ｔ−Ｓ）＋Ａ＋３｝−（Ｊ−１）・Int[｛３（ｔ−Ｓ）＋Ａ＋２｝／（Ｊ−１）]
ｂｙ＝Int[｛３（ｔ−Ｓ）＋Ａ＋２｝／（Ｊ−１）]＋１
であって、
（１）出力端子ｒ（Ｓ）に映像信号Ｄ１１が入力される場合、Ａ＝０
（２）出力端子ｇ（Ｓ）に映像信号Ｄ１１が入力される場合、Ａ＝−１
（３）出力端子ｂ（Ｓ）に映像信号Ｄ１１が入力される場合、Ａ＝−２
（Int[  ]は、括弧内の小数点以下を切り捨てた値が出力される。また、Ｓは、（１）〜（３）に場合分けした際における、映像信号Ｄ１１に対応する出力端子ｒ（）、出力端子ｇ（）、および出力端子ｂ（）のうち、いずれかの出力端子の括弧内の数字として設定される）。
【００８１】
あるいは、本発明の映像信号処理回路は、上記Ｊ系統の映像信号列の中から任意に選択される２つの映像信号列について、各映像信号列内で同じ順位で並べられている映像信号を合成するとともに、合成された映像信号を時系列でならべて１つの映像信号列を生成することにより、Ｊ系統の映像信号列を（Ｊ−１）系統の映像信号列に変換し、
上記（Ｊ−１）系統の映像信号列に含まれる映像信号を、Ｄｍｎとして表し（ｍは、１からＪ−１までの整数、ｎは、その映像信号が各原色のうち何番目に表示される画素に入力されるかを示す整数）、
上記３系統の映像信号列に含まれる映像信号を、Ｒ（ｔ）・Ｇ（ｔ）・Ｂ（ｔ）として表し（ｔは、その映像信号が属する映像信号列において何番目に並ぶ映像信号であるかを示す整数）、
ソースドライバにおける３系統の出力端子を、ｒ（ｌ）・ｇ（ｌ）・ｂ（ｌ）として表した場合（ｌは、その出力端子が、自身の属する系統において何番目に並ぶ出力端子であるかを示す整数）、
（Ｊ−１）系統の映像信号における映像信号Ｄ１１が、出力端子ｒ(Ｓ)、出力端子ｇ(Ｓ）、および出力端子ｂ（Ｓ）のうちいずれかに入力される場合、以下の数式に基づき、（Ｊ−１）系統の映像信号列を３系統の映像信号列に並び替えることを特徴としてもよい。
【００８２】
Ｒ（ｔ）＝Ｄｒｘｒｙ
Ｇ（ｔ）＝Ｄｇｘｇｙ
Ｂ（ｔ）＝Ｄｂｘｂｙ
但し、
ｒｘ＝｛３（ｔ−Ｓ）＋Ａ＋１｝−（Ｊ−１）・Int[｛３（ｔ−Ｓ）＋Ａ｝／（Ｊ−１）]
ｒｙ＝Int[｛３（ｔ−Ｓ）＋Ａ｝／（Ｊ−１）]＋１
ｇｘ＝｛３（ｔ−Ｓ）＋Ａ＋２｝−（Ｊ−１）・Int[｛３（ｔ−Ｓ）＋Ａ＋１｝／（Ｊ−１）]
ｇｙ＝Int[｛３（ｔ−Ｓ）＋Ａ＋１｝／（Ｊ−１）]＋１
ｂｘ＝｛３（ｔ−Ｓ）＋Ａ＋３｝−（Ｊ−１）・Int[｛３（ｔ−Ｓ）＋Ａ＋２｝／（Ｊ−１）]
ｂｙ＝Int[｛３（ｔ−Ｓ）＋Ａ＋２｝／（Ｊ−１）]＋１
であって、
（１）出力端子ｒ（Ｓ）に映像信号Ｄ１１が入力される場合、Ａ＝０
（２）出力端子ｇ（Ｓ）に映像信号Ｄ１１が入力される場合、Ａ＝−１
（３）出力端子ｂ（Ｓ）に映像信号Ｄ１１が入力される場合、Ａ＝−２
（Int[  ]は、括弧内の小数点以下を切り捨てた値が出力される。また、Ｓは、（１）〜（３）に場合分けした際における、映像信号Ｄ１１に対応する出力端子ｒ（）、出力端子ｇ（）、および出力端子ｂ（）のうち、いずれかの出力端子の括弧内の数字として設定される）。
【００８３】
なお、コンピュータに上記映像信号処理方法における各ステップを実行させる映像信号処理プログラムにより、コンピュータを用いて本発明の映像信号処理方法と同様の作用効果を得ることができる。さらに、上記映像信号処理プログラムをコンピュータ読取り可能な記録媒体に記憶させることにより、任意のコンピュータ上で上記映像信号処理プログラムを実行させることができる。
【発明の効果】
【００８４】
本発明の映像信号処理回路および映像信号処理方法は、以上のように、画像表示パネルによる画像表示に用いられるＪ原色（Ｊは４以上の整数）のそれぞれについて、各画素に入力される映像信号が時系列に沿って連続するように構成されるＪ系統の映像信号列の中から、上記画像表示パネルにおいて各画素にＪ原色のいずれかが配色されている順番に対応させて映像信号を３つずつ順番に抽出し、その３つの映像信号のそれぞれが３つの系統のうちいずれかに属するように順次並べて３系統の映像信号列を構成する。
【００８５】
上記構成によれば、３つの入出力系統を有するソースドライバを用いて、Ｊ原色による画像表示が可能となる。
【００８６】
そして、このような３つの入出力系統を有するソースドライバは、たとえばＲＧＢ色を用いて画像表示を行う一般的な液晶画像表示パネルに用いられているものであり、汎用性の高いものである。したがって、本発明の映像信号処理回路および映像信号処理方法を用いれば、汎用性の高いソースドライバを用いてＪ原色による画像表示が可能となるので、画像表示デバイスの製造コストを低減することができる。
【発明を実施するための最良の形態】
【００８７】
〔１．画像表示デバイスの構成〕
本発明の信号処理回路に係る実施の一形態について、添付する図面を参照しつつ説明する。図２に示すように、本実施の形態の映像信号処理回路１を用いる画像表示デバイスは、映像信号処理回路１と、タイミングコントローラ２と、３原色用のソースドライバ３と、ゲートドライバ４と、各画素にＪ個の原色のうちいずれかが付されているＪ原色の画像表示パネル５とから構成されている。
【００８８】
映像信号処理回路１は、自身に入力されるＪ個の系統からなる映像信号（Ｊ原色映像信号）Ｄ１・Ｄ２・Ｄ３・…・ＤＪを、後述の方法により、ＲＧＢ色の３系統からなる映像信号Ｒ（ｔ）・Ｇ（ｔ）・Ｂ（ｔ）に変換する（ｔは整数）。映像信号処理回路１によりたとえばＲＧＢの３系統に変換された映像信号Ｒ（ｔ）・Ｇ（ｔ）・Ｂ（ｔ）は、タイミングコントローラ２に入力される。なお、映像信号処理回路１は、Ｊ原色映像信号を、ＣＭＹ色の３系統からなる映像信号に変換してもよい。
【００８９】
タイミングコントローラ２は、映像信号処理回路１により３原色に並び替えられた映像信号Ｒ（ｔ）・Ｇ（ｔ）・Ｂ（ｔ）を、３原色用のソースドライバ３に出力する。また、タイミングコントローラ２は、タイミング制御信号をゲートドライバ４に出力する。このタイミング制御信号は、Ｊ原色の画像表示パネル５の内部における複数のゲートバスライン（図示せず）を、順次選択してオン状態とするために用いられるものである。
【００９０】
ソースドライバ３は、ゲートドライバ４により選択されたゲートバスラインに接続されている複数のソースバスライン（図示せず）に、映像信号Ｒ（ｔ）・Ｇ（ｔ）・Ｂ（ｔ）を順次書き込んでいくものである。また、ゲートドライバ４は、Ｊ原色の画像表示パネル５の内部における複数のゲートバスラインを、タイミング制御信号に基づき順次選択してオン状態とするものである。
【００９１】
Ｊ原色の画像表示パネル５は、複数のゲートバスラインと、複数のソースバスラインとが、互いに直交するように設けられているものである。Ｊ原色の画像表示パネル５の基本的な構成は、図１０を用いて説明したマトリクス型の画像表示パネルの構成と同じである。しかしながら、図１０に示した画像表示パネルにおいては、各ゲートバスラインと各ソースバスラインとの交差部分に設けられた各画素について、Ｒ色・Ｇ色・Ｂ色のいずれか１色が付されている一方で、図２のＪ原色の画像表示パネル５については、各画素についてＪ個の原色のいずれか１色が付されている点において、図１０に示した画像表示パネルと図２に示す画像表示パネルとは構成が異なる。
【００９２】
上記構成により、本実施の形態の画像表示デバイスは、映像信号処理回路１を用いてＪ原色映像信号を３系統の映像信号に変換し、その変換された３系統の映像信号をソースドライバ３を用いてＪ原色の画像表示パネル５に出力することにより、Ｊ個の原色を用いて映像を表示する。そして、本実施の形態の画像表示デバイスは、Ｊ原色の映像信号を３系統の映像信号に変換する映像信号処理回路１を用いている点に特徴がある。以下、この映像信号の変換処理について具体的に説明する。
【００９３】
〔２．映像信号の変換処理例〕
映像信号処理回路１が行う映像信号の変換処理の一例について、以下に記載する。先ず、図１（ａ）に示すように、Ｊ原色映像信号は、原色１を表示するための信号列１１と、原色２を表示するための信号列１２と、原色３を表示するための信号列１３と、原色４を表示するための信号列１４とを含むように構成されている。このように、Ｊ原色映像信号は、Ｊ個の原色のうちそれぞれの原色を表示するための信号列から構成されている。
【００９４】
より具体的には、信号列１１は、映像信号Ｄ１１・Ｄ１２・Ｄ１３・Ｄ１４…が、時系列で並ぶように構成されている。同様に、信号列１２は、映像信号Ｄ２１・Ｄ２２・Ｄ２３・Ｄ２４…が、時系列で並ぶように構成されており、信号列１３は、映像信号Ｄ３１・Ｄ３２・Ｄ３３・Ｄ３４…が時系列で並ぶように構成されている。同様に、原色Ｊを表示するための信号列については、映像信号ＤＪ１・ＤＪ２・ＤＪ３・…が時系列で並ぶように構成されている。
【００９５】
たとえば、原色１を赤色とすると、映像信号Ｄ１１は、Ｊ原色の画像表示パネル５において１番目に表示される赤色の画素へ入力される映像信号である。同様に、映像信号Ｄ１２は、Ｊ原色の画像表示パネル５において２番目に表示される赤色の画素へ入力される映像信号である。また、原色２を黄色とすると、映像信号Ｄ２１は、Ｊ原色の画像表示パネル５において１番目に表示される黄色の画素へ入力される映像信号である。
【００９６】
そして、３原色用のソースドライバ３とＪ原色の画像表示パネル５とを接続した状態を図１（ｂ）に示す。なお、図１（ｂ）においては、説明を簡略にするため、画像表示パネル５において、１つのゲートバスラインに接続された複数の画素だけを記載している。
【００９７】
図１（ｂ）に示すように、Ｊ原色の画像表示パネル５に３原色のソースドライバ３を単純に接続すると、ソースドライバ３の出力系統数に対してパネルの原色数が多いため、ソースドライバ３の出力系統と画像表示パネル５の原色との関係がばらばらになる。
【００９８】
すなわち、３原色の画像表示パネルを用いる画像表示デバイスであれば、図１３に示すように、ソースドライバ３００の出力端子ｒ（１）・ｒ（２）・…が、常に原色１（赤色）の画素に対応する。しかしながら、多原色の画像表示パネル５においては、図１（ｂ）に示すように、ソースドライバ３の同一系統の出力端子が、常に同一色の画素に対応しなくなってしまう。なお、「同一系統」とは、ソースドライバ３の出力端子を３原色ごとに分類した場合に、同一の原色に分類される出力端子のグループをいう。
【００９９】
たとえば、ソースドライバ３の出力端子ｒ（１）からは、映像信号Ｄ１１が出力されている。つまり、ソースドライバ３の出力端子ｒ（１）は、原色１に対応するものであるといえる。一方で、ソースドライバ３の出力端子ｒ（１）と同一系統のグループに属する出力端子ｒ（２）からは、映像信号Ｄ４１が出力されている。つまり、ソースドライバ３の出力端子ｒ（２）は、原色４に対応するものであるといえる。
【０１００】
このように、出力端子ｒ（１）と出力端子ｒ（２）とは、同一系統に属するものであるが、それぞれに出力端子は異なる原色に対応することになる。
【０１０１】
したがって、ソースドライバ３への入力段で、画像表示パネル５における各画素の原色と、ソースドライバ３から出力される映像信号により表示される原色とが、１対１に対応するように、Ｊ原色の映像信号を以下のように並び替える必要がある。
【０１０２】
すなわち、図２に示すように、映像信号処理回路１を用いて、映像信号の入力系統を３原色分しか持たないタイミングコントローラ２に対して、Ｊ原色映像信号Ｄ１・Ｄ２…ＤＪを３系統の映像信号Ｒ（ｔ）・Ｇ（ｔ）・Ｂ（ｔ）に並び替えて入力すればよい。より具体的には、ソースドライバ３を介してタイミングコントローラ２から画像表示パネル５へ出力される映像信号Ｒ（ｔ）・Ｇ（ｔ）・Ｂ（ｔ）により表示される原色の順番が、画像表示パネル５における画素に付された原色の順番とが一致するように、映像信号処理回路１を用いてＪ原色映像信号Ｄ１・Ｄ２…ＤＪを並び替えればよい。なお、映像信号処理回路１により並び替えられた３系統の映像信号を、ソースドライバ３に直接入力してもよい。
【０１０３】
つまり、図１（ｂ）に示すソースドライバ３の出力端子ｒ（ｔ）・ｇ（ｔ）・ｂ（ｔ）のそれぞれからは、映像信号Ｒ（ｔ）・Ｇ（ｔ）・Ｂ（ｔ）が出力される。したがって、ソースドライバ３から画像表示パネル５へ出力される映像信号によれば、映像信号Ｒ（１）・Ｇ（１）・Ｂ（１）・Ｒ（２）・Ｇ（２）・Ｂ（２）…の順番に、色表示を行うことになる。この色表示の順番が、画像表示パネル５における画素に付された原色の順番、すなわち原色１・原色２・原色３…原色Ｊの順番と一致するように、映像信号処理回路１を用いてＪ原色映像信号Ｄ１・Ｄ２…ＤＪを並び替えればよい。
【０１０４】
つまり、図１（ｂ）に示すように、画像表示パネル５において、原色１の画素に対しては原色１の映像信号Ｄ１１、原色２の画素に対しては原色２の映像信号Ｄ２１、原色３の画素に対しては原色３の映像信号Ｄ３１、原色４の画素に対しては原色４の映像信号Ｄ４１というように、各画素に付された原色と同じ色を表示するための映像信号を、ソースドライバ３の出力端子ｒ（１）・ｇ（１）・ｂ（１）・ｒ（２）…から出力する。
【０１０５】
以上に説明した、映像信号処理回路１によるＪ原色映像信号から３系統の映像信号の変換処理は、以下に説明する数式を用いて記載することができる。
【０１０６】
すなわち、図１（ａ）に示すように、時系列に並ぶＪ原色映像信号の映像信号Ｄ１１・１２・…・Ｄ２１・Ｄ２２・…・ＤＪ１・ＤＪ２・…からなる複数の信号列（Ｊは４以上の整数）により、Ｊ原色映像信号を表現し、映像信号Ｒ（ｔ）・Ｇ（ｔ）・Ｂ（ｔ）からなる信号列（ｔは整数）により３系統の映像信号を表現する。そして、以下の数式を用いて、Ｊ原色映像信号を３系統の映像信号に変換する。
【０１０７】
Ｒ（ｔ）＝Ｄｒｘｒｙ
Ｇ（ｔ）＝Ｄｇｘｇｙ
Ｂ（ｔ）＝Ｄｂｘｂｙ
ｒｘ＝｛３（ｔ−１）＋１｝−Ｊ・Int[｛３（ｔ−１）｝／Ｊ]
ｒｙ＝Int[｛３（ｔ−１）｝／Ｊ]＋１
ｇｘ＝｛３（ｔ−１）＋２｝−Ｊ・Int[｛３（ｔ−１）＋１｝／Ｊ]
ｇｙ＝Int[｛３（ｔ−１）＋１｝／Ｊ]＋１
ｂｘ＝｛３（ｔ−１）＋３｝−Ｊ・Int[｛３（ｔ−１）＋２｝／Ｊ]
ｂｙ＝Int[｛３（ｔ−１）＋２｝／Ｊ]＋１
なお、上式において、ｒｘ・ｇｘ・ｂｘは、原色の番号を示しており、ｒｙ・ｇｙ・ｂｙは、その映像信号が各原色のうち何番目に表示される画素に入力されるものであるのかを示している。また、Int[  ]は、括弧内の小数点以下を切り捨てた値が出力される。
【０１０８】
上記の数式を用いてＪ原色の映像信号を変換すると、図１（ｂ）に示すように、出力端子ｒ（１）からは映像信号Ｄ１１が出力され、出力端子ｒ（１）からは映像信号Ｄ２１が出力され、出力端子ｇ（１）からは映像信号Ｄ３１が出力され、出力端子ｒ（２）からは映像信号Ｄ４１が出力されるというように、ソースドライバ３から画像表示パネル５へ出力される映像信号Ｒ（ｔ）・Ｇ（ｔ）・Ｂ（ｔ）により表示される原色の順番が、画像表示パネル５における画素に付された原色の順番とが一致することになる。これにより、３系統の入力信号しか持たないソースドライバ３を用いても、多原色の画像表示パネル５によるカラー画像表示が可能となる。
【０１０９】
〔３．実施例１〕
図３（ａ）および図３（ｂ）を用いて、５つの原色によりカラー表示を行う画像表示デバイスに上述した信号変換処理を用いた場合について説明する。図３（ａ）に示すように、５原色によるカラー表示を行うための映像信号が、信号列２１と、信号列２２と、信号列２３と、信号列２４と、信号列２５とから構成されているとする。
【０１１０】
信号列２１は、原色１を表示するための映像信号Ｄ１１・Ｄ１２・Ｄ１３・Ｄ１４…が時系列で並べられたものである。信号列２２は、原色２を表示するための映像信号Ｄ２１・Ｄ２２・Ｄ２３・Ｄ２４…が時系列で並べられたものである。信号列２３は、原色３を表示するための映像信号Ｄ３１・Ｄ３２・Ｄ３３・Ｄ３４…が時系列で並べられたものである。信号列２４は、原色４を表示するための映像信号Ｄ４１・Ｄ４２・Ｄ４３・Ｄ４４…が時系列で並べられたものである。信号列２５は、原色５を表示するための映像信号Ｄ５１・Ｄ５２・Ｄ５３・Ｄ５４…が時系列で並べられたものである。
【０１１１】
このような５原色を表示するための映像信号を、上述の式にＪ＝５を代入し、r-line・g-line・b-lineからなる３系統の入力映像信号に並び替える。なお、r-lineの信号列は、上式における映像信号Ｒ（ｔ）を、カッコ内の整数の大きさ順で並べることにより構成されるものである。また、g-lineの信号列は、上式における映像信号Ｇ（ｔ）を、カッコ内の整数の大きさ順で並べることにより構成されるものである。また、b-lineの信号列は、上式における映像信号Ｂ（ｔ）を、カッコ内の整数の大きさ順で並べることにより構成されるものである。
【０１１２】
すると、図３（ａ）に示すように、r-lineについては映像信号Ｄ１１・Ｄ４１・Ｄ２２・Ｄ５２・Ｄ３３…が時系列に沿って並ぶ。また、g-lineについては、映像信号Ｄ２１・Ｄ５１・Ｄ３２・Ｄ１３・Ｄ４３…が時系列に沿って並ぶ。さらに、b-lineについては、映像信号Ｄ３１・Ｄ１２・Ｄ４２・Ｄ２３・Ｄ５３…が時系列に沿って並ぶ。
【０１１３】
そして、このように３系統の映像信号として並び替えられた信号列について、映像信号Ｒ（ｔ）はソースドライバ３の出力端子ｒ（ｔ）から画像表示パネル５へ出力されるように設定し、映像信号Ｇ（ｔ）はソースドライバ３の出力端子ｇ（ｔ）から画像表示パネル５へ出力されるように設定し、映像信号Ｂ（ｔ）はソースドライバ３の出力端子ｂ（ｔ）から画像表示パネル５へ出力されるように設定する。
【０１１４】
これにより、図３（ｂ）に示すように、ソースドライバ３の出力端子ｒ（１）からは映像信号Ｄ１１が出力され、出力端子ｇ（１）からは映像信号Ｄ２１が出力され、出力端子ｂ（１）からは映像信号Ｄ３１が出力され、出力端子ｒ（２）からは映像信号Ｄ４１が出力され、出力端子ｇ（２）からは映像信号Ｄ５１が出力されるようにすることができる。つまり、ソースドライバ３から画像表示パネル５へ出力される映像信号Ｒ（ｔ）・Ｇ（ｔ）・Ｂ（ｔ）により表示される原色の順番を、画像表示パネル５における画素に付された原色の順番に一致させることができる。
【０１１５】
〔４．実施例２〕
映像信号処理回路１が行う映像信号の変換処理における他の例について、以下に記載する。
【０１１６】
多原色によるカラー表示を行う画像表示パネルとしては、図３（ｂ）に示すように、画像表示パネルにて用いられる全ての原色のそれぞれが付された画素が、順番に並ぶ構成の画像表示パネル５だけが用いられるとは限らない。
【０１１７】
つまり、図４（ｂ）に示すように、同一のゲートバスライン（図示せず）に接続された画素について隣接する４つの画素を１つのグループとして見た場合、最初のグループには原色１の画素・原色２の画素・原色３の画素・原色４の画素がこの順番で並んでいる一方で、該グループに隣接するグループには、原色１の画素・原色２の画素・原色３の画素・原色５の画素がこの順番で並ぶ構成の画像表示パネル５’も存在する。
【０１１８】
また、図５（ａ）に示すように、縦方向に隣接し合う２画素からなる画素の配列が、横方向に２列並ぶことにより構成される４つの画素からなるグループを１つのグループとしてみた場合、最初のグループには原色１の画素・原色２の画素・原色３の画素・原色４の画素が含まれている一方で、該グループに隣接する次のグループには、原色１の画素・原色２の画素・原色３の画素・原色５の画素がこの順番で並ぶ構成の画像表示パネル６も存在する。
【０１１９】
なお、図５（ａ）に示す画像表示パネル６に対しては、図５（ｂ）に示すように、縦方向に隣接し合う画素の間で、各画素に対するソースバスライン３ａ…の接続方向が互いに異なるようにソースドライバ３のソースバスライン３ａ…が接続されている。
【０１２０】
具体的には、原色１の画素に対しては、その左側にソースバスライン３ａが接続されている一方、原色１の画素に対して縦方向に隣接する原色２の画素に対しては、その右側にソースバスライン３ａが接続されている。同様に、原色３の画素に対しては、その左側にソースバスライン３ａが接続されている一方、原色３の画素に対して縦方向に隣接する原色４の画素に対しては、その右側にソースバスライン３ａが接続されている。
【０１２１】
すなわち、画像表示パネル５’および画像表示パネル６においては、原色４の画素および原色５の画素が、画素の各グループについて交互に設けられている構成になっているのである。このような構成の画像表示パネル５’および画像表示パネル６に対して、３原色によるカラー表示用のソースドライバ３を用いてカラー表示を行うためには、映像信号処理回路１（図２参照）を用いて、以下のように５原色によるカラー表示用の映像信号を、３原色によりカラー表示用の映像信号に変換すればよい。
【０１２２】
先ず、図４（ａ）に示すように、５原色によるカラー表示を行うための映像信号が、信号列２１と、信号列２２と、信号列２３と、信号列２４と、信号列２５とから構成されているとする。これらの信号列２１〜２５の構成は、図３（ａ）に示した映像信号と同じであるので、その詳細な説明は省略する。
【０１２３】
ここに説明する実施例において、上記した実施例１と異なっているのは、５原色によるカラー表示を行うための映像信号が、みかけ上、４原色によるカラー表示を行うための映像信号に変換されている点である。
【０１２４】
つまり、図４（ａ）に示すように、信号列２４と信号列２５とから、原色４＊を表示するための信号列３１を生成する。この信号列３１は、映像信号Ｄ４１＊・Ｄ４２＊・Ｄ４３＊・Ｄ４４＊…が時系列で並べられたものである。
【０１２５】
ここで、信号列３１における映像信号Ｄ４１＊・Ｄ４２＊・Ｄ４３＊・Ｄ４４＊…を生成する方法について説明する。信号列３１は、上述のように、信号列２４と信号列２５とに基づき生成されるものである。
【０１２６】
たとえば、以下のように映像信号Ｄ４１＊・Ｄ４２＊・Ｄ４３＊・Ｄ４４＊…を生成することが可能である。
【０１２７】
映像信号Ｄ４１＊＝映像信号Ｄ４１
映像信号Ｄ４２＊＝映像信号Ｄ５２
映像信号Ｄ４３＊＝映像信号Ｄ４３
映像信号Ｄ４４＊＝映像信号Ｄ５４
…
このように、信号列３１を、映像信号Ｄ４１・Ｄ５２・Ｄ４３・Ｄ５４…が時系列で並ぶように設定することにより、原色４の映像信号と原色５の映像信号とが交互に出現するように構成してもよい。
【０１２８】
あるいは、次のように映像信号Ｄ４１＊・Ｄ４２＊・Ｄ４３＊・Ｄ４４＊…を生成することが可能である。
【０１２９】
（映像信号Ｄ４１＊により表示される階調レベル）＝（映像信号Ｄ４１により表示される階調レベル）＋（映像信号Ｄ４２により表示される階調レベル）
（映像信号Ｄ４２＊により表示される階調レベル）＝（映像信号Ｄ５１により表示される階調レベル）＋（映像信号Ｄ５２により表示される階調レベル）
（映像信号Ｄ４３＊により表示される階調レベル）＝（映像信号Ｄ４３により表示される階調レベル）＋（映像信号Ｄ４４により表示される階調レベル）
（映像信号Ｄ４４＊により表示される階調レベル）＝（映像信号Ｄ５３により表示される階調レベル）＋（映像信号Ｄ５４により表示される階調レベル）
…
このように、連続する２つの原色４の映像信号を合成する処理と、連続する２つの原色５の映像信号を合成する処理とを交互に繰り返すことにより、信号列３１を生成してもよい。これにより、原色４の信号列２４および原色５の信号列２５に含まれる映像信号の全てを考慮して原色４＊の信号列３１を生成することができる。
【０１３０】
ただし、上述のように２つの映像信号のそれぞれにより表示される階調レベルを単純に足し合わせる処理を行った場合には、その合計後の階調レベルが、画像表示パネル５’で表示可能な階調レベルの最大値を超えることがある。この場合、合計後の階調レベルは、画像表示パネル５’で表示可能な階調レベルの最大値として設定すればよい。
【０１３１】
また、映像信号Ｄ４１＊・Ｄ４２＊・Ｄ４３＊・Ｄ４４＊…を生成するために、以下のようにしてもよい。
【０１３２】
（映像信号Ｄ４１＊により表示される階調レベル）＝（（映像信号Ｄ４１により表示される階調レベル）＋（映像信号Ｄ４２により表示される階調レベル））／２
（映像信号Ｄ４２＊により表示される階調レベル）＝（（映像信号Ｄ５１により表示される階調レベル）＋（映像信号Ｄ５２により表示される階調レベル））／２
（映像信号Ｄ４３＊により表示される階調レベル）＝（（映像信号Ｄ４３により表示される階調レベル）＋（映像信号Ｄ４４により表示される階調レベル））／２
（映像信号Ｄ４４＊により表示される階調レベル）＝（（映像信号Ｄ５３により表示される階調レベル）＋（映像信号Ｄ５４により表示される階調レベル））／２
…
上述の様に、連続する２つの映像信号のそれぞれに表示される階調レベルの平均値を取るという構成にしてもよい。
【０１３３】
このようにして、５原色の映像信号を、みかけ上、４原色によるカラー表示を行うための映像信号に変換する。そして、上述したＪ原色映像信号を３系統の映像信号に変換するための以下の数式、すなわち
Ｒ（ｔ）＝Ｄｒｘｒｙ
Ｇ（ｔ）＝Ｄｇｘｇｙ
Ｂ（ｔ）＝Ｄｂｘｂｙ
ｒｘ＝｛３（ｔ−１）＋１｝−Ｊ・Int[｛３（ｔ−１）｝／Ｊ]
ｒｙ＝Int[｛３（ｔ−１）｝／Ｊ]＋１
ｇｘ＝｛３（ｔ−１）＋２｝−Ｊ・Int[｛３（ｔ−１）＋１｝／Ｊ]
ｇｙ＝Int[｛３（ｔ−１）＋１｝／Ｊ]＋１
ｂｘ＝｛３（ｔ−１）＋３｝−Ｊ・Int[｛３（ｔ−１）＋２｝／Ｊ]
ｂｙ＝Int[｛３（ｔ−１）＋２｝／Ｊ]＋１
において、Ｊ＝４を代入することにより求められる映像信号Ｒ（ｔ）・Ｇ（ｔ）・Ｂ（ｔ）のそれぞれを、r-line、g-line、およびb-lineのそれぞれに分ければよい。
【０１３４】
すると、図４（ａ）に示すように、r-lineについては映像信号Ｄ１１・Ｄ４１＊・Ｄ３２・Ｄ２３・Ｄ１４・Ｄ４４＊…が時系列に沿って並ぶ。また、g-lineについては映像信号Ｄ２１・Ｄ１２・Ｄ４２＊・Ｄ３３・Ｄ２４・Ｄ１５…が時系列に沿って並ぶ。また、b-lineについては映像信号Ｄ３１・Ｄ２２・Ｄ１３・Ｄ４３＊・Ｄ３４・Ｄ２５…が時系列に沿って並ぶ。
【０１３５】
そして、このように３系統の映像信号として並び替えられた信号列について、映像信号Ｒ（ｔ）はソースドライバ３の出力端子ｒ（ｔ）から画像表示パネル５’または画像表示パネル６へ出力されるように設定し、映像信号Ｇ（ｔ）はソースドライバ３の出力端子ｇ（ｔ）から画像表示パネル５’または画像表示パネル６へ出力されるように設定し、映像信号Ｂ（ｔ）はソースドライバ３の出力端子ｂ（ｔ）から画像表示パネル５’または画像表示パネル６へ出力されるように設定する。
【０１３６】
これにより、図４（ｂ）または図５（ｂ）に示すように、ソースドライバ３の出力端子ｒ（１）からは映像信号Ｄ１１が出力され、出力端子ｇ（１）からは映像信号Ｄ２１が出力され、出力端子ｂ（１）からは映像信号Ｄ３１が出力され、出力端子ｒ（２）からは映像信号Ｄ４１＊が出力され、出力端子ｇ（２）からは映像信号Ｄ１２が出力されるようにすることができる。つまり、ソースドライバ３から画像表示パネル５’へ出力される映像信号Ｒ（ｔ）・Ｇ（ｔ）・Ｂ（ｔ）により表示される原色の順番を、画像表示パネル５’における画素に付された原色の順番に一致させることができる。
【０１３７】
なお、上述の変換処理では、５原色によるカラー表示を行うための映像信号を、みかけ上４原色によるカラー表示を行うための映像信号に変換した後に、３系統の映像信号に変換する場合について説明したが、本発明は必ずしもこれに限定されるものではない。
【０１３８】
すなわち、Ｋ原色（Ｋは６以上の整数）を用いてカラー表示を行う画像表示パネルにおいて、画像表示パネルにおいて隣接するＫ−１個の画素を１つのグループとして見た場合、Ｋ原色の中から任意に選択される２つの原色のうちいずれかが付された画素が、各グループについて交互に設けられている構成の画像表示パネルにも、上述の信号変換処理を適用することができる。
【０１３９】
つまり、Ｋ原色によるカラー表示を行うための映像信号を構成するＫ個の信号列のうち、隣接するＫ−１個の画素からなるグループのそれぞれに交互に設けられた画素に対応する原色を表示するための２つの信号列に基づき、上述の信号変換処理と同様に、１つの信号列を生成すればよい。
【０１４０】
〔５．実施例３〕
実施例１や２では、ソースドライバ３の出力数がパネルの画素数と一致していることを想定している。しかしながら、たいていはソースドライバの出力数が限られているので、画素数の多い画像表示パネルでは、ソースドライバを複数個用いることにより、ソースドライバの出力数をパネルの画素数に対応させている。そのため、複数個用いたソースドライバのトータルの出力数は、パネルの画素数よりも多くなるのが普通である。そのことについて図６を用いてより具体的に説明する。
【０１４１】
図６に示すように、本実施例の画像表示パネル７は、４原色の６４０グループで構成されるパネルを用いている。また、ソースドライバ３…は、ｒｇｂの出力端子を３００個もつものを用いている。
【０１４２】
また、画像表示パネル７の横一列の画素数は、４原色が６４０グループあるので２５６０（＝４×６４０）個である。よって、３００個の出力端子をもつソースドライバ３を複数個用いて画像表示パネル７の画素数に対応しようとすると、９個（９×３００＝２７００）のソースドライバ３が必要になる。
【０１４３】
その結果、９個のソースドライバ３…の出力端子の数は、画像表示パネル７の画素数よりも多くなる。このような場合、ソースドライバ３…の出力端子のうち、１４０（＝２７００−２５６０）個は画素に接続されずに未使用状態になる。このように未使用の出力端子が存在する状態における、画像表示パネル７とソースドライバ３…との接続方法は４通り考えられる。図６から図９に接続方法を示す。
【０１４４】
図６は、画像表示パネル７に接続されない出力端子が、ソースドライバ３…の後半に配される接続方法を示す図である。このとき、ソースドライバ３の出力端子ｒ（１）が、画像表示パネル７において映像信号Ｄ１１が入力される画素に対応する。
【０１４５】
図７は、画像表示パネル７に接続される出力端子が、ソースドライバ３…の中央付近に配される接続方法を示す図である。この場合、ソースドライバ３…の前半後半に、１４０を２で割った値である７０個の出力端子を均等に割り振るのが理想的である。
【０１４６】
しかしながら、ソースドライバ３の出力端子はｒｇｂで１セットなので、少なくともソースドライバ３の前半には、７０付近でかつ３で割れる数の出力端子を割り振るのが適当である。よって本実施例では、ソースドライバ３の前半に６９個、後半に７１個の未使用の出力端子を割り振った。このとき、ソースドライバ３の出力端子ｒ（２４）が、映像信号Ｄ１１が入力される画素に対応する。
【０１４７】
図８は、画像表示パネル７に接続される出力端子がソースドライバ３…の中央付近に配される別の接続方法を示す図である。この場合は、ソースドライバ３の出力端子がｒｇｂで１セットを構成することを無視して、単純にソースドライバ３…の前半に７０個、後半に７０個の未使用の出力端子が割り振られる。このとき、ソースドライバ３の出力端子ｇ（２４）が、映像信号Ｄ１１が入力される画素に対応する。注意すべきは、出力端子ｒ（２４）・ｇ（２４）・ｂ（２４）のうち、出力端子ｒ（２４）だけが画像表示パネル７に接続されなくなってしまうことである。
【０１４８】
図９は、画像表示パネル７に接続されない出力端子がソースドライバ３の前半に配される接続方法を示す図である。このとき、ソースドライバ３の出力端子ｂ（４７）が、映像信号Ｄ１１に対応する。また、出力端子ｒ（４７）・ｇ（４７）・ｂ（４７）のうち、出力端子ｒ（４７）・ｇ（４７）は、画像表示パネル７に接続されなくなってしまう。
【０１４９】
図６に示す接続方法は、実施例１や２で説明した接続方法と同じなので、詳細な説明は省略する。そこでまず、図７に示す接続方法についてより具体的に説明する。
【０１５０】
図７に示すように、出力端子ｒ（２４）を映像信号Ｄ１１が入力される画素に対応させるためには、ソースドライバ３が、出力端子ｒ（１）から出力端子ｒ（２４）まで「ずれた」ものとして考えればよい。具体的には、常にｔから２４を減算した値を用いればよいことになる。
【０１５１】
つまり、これを一般化した場合、ソースドライバ３がずれた量をＳとすると、ｔからＳを減算した値を用いることになるので、
実施例１，２で用いた数式を、以下のように変更すればよい。
【０１５２】
Ｒ（ｔ）＝Ｄｒｘｒｙ
Ｇ（ｔ）＝Ｄｇｘｇｙ
Ｂ（ｔ）＝Ｄｂｘｂｙ
ｒｘ＝｛３（ｔ−Ｓ）＋１｝−Ｊ・Int[｛３（ｔ−Ｓ）｝／Ｊ]
ｒｙ＝Int[｛３（ｔ−Ｓ）｝／Ｊ]＋１
ｇｘ＝｛３（ｔ−Ｓ）＋２｝−Ｊ・Int[｛３（ｔ−Ｓ）＋１｝／Ｊ]
ｇｙ＝Int[｛３（ｔ−Ｓ）＋１｝／Ｊ]＋１
ｂｘ＝｛３（ｔ−Ｓ）＋３｝−Ｊ・Int[｛３（ｔ−Ｓ）＋２｝／Ｊ]
ｂｙ＝Int[｛３（ｔ−Ｓ）＋２｝／Ｊ]＋１
なお、Int[  ]は、括弧内の小数点以下を切り捨てた値が出力される。また、Ｓは、映像信号Ｄ１１が入力される画素に対応する出力端子ｒ（）の括弧内の数字である。
【０１５３】
さらに、本実施例の図７に示す接続方法では、映像信号Ｄ１１が出力端子ｒ（２４）に対応するので、Ｓ＝２４として計算する。上式をもちいて計算すると、ソースドライバ３の出力端子ｒ（２４）からは映像信号Ｄ１１が出力され、出力端子ｇ（２４）からは映像信号Ｄ２１が出力され、出力端子ｂ（２４）からは映像信号Ｄ３１が出力され、出力端子ｒ（２５）からは映像信号Ｄ４１が出力され、出力端子ｇ（２５）からは映像信号Ｄ１２が出力されるようにすることができる。
【０１５４】
ただし、ｔ＜２４の時、すなわち未使用の出力端子に相当する部分に関しては、ｒｙ、ｇｙ、ｂｙが０または負の値になるので、そのようなＪ原色の映像信号は存在しないものとして算出される。したがって、ｔは２４（＝Ｓ）以上に設定されることにより、はじめて有効になる。
【０１５５】
これにより、ソースドライバ３から画像表示パネル５へ出力される映像信号Ｒ（ｔ）・Ｇ（ｔ）・Ｂ（ｔ）により表示される原色の順番を、図７に示す画像表示パネル７における画素に付された原色の順番に一致させることができる。
【０１５６】
また、図８および図９に示す接続方法について、より具体的に説明する。なお、図８および図９のいずれの接続方法についても同一の説明になるので、図８の接続方法について具体的に説明する。
【０１５７】
図８に示す接続方法でも、図７に示す接続方法と同様に、まずＳ＝２４として計算する。しかしながら、上述の式を用いると、出力端子ｒ（２４）が、映像信号Ｄ１１の入力される画素に対応することになってしまい、図８で示すように、出力端子ｇ（２４）が、映像信号Ｄ１１の入力される画素に対応することにはならない。これは、上述の式において、出力端子ｒ（Ｓ）が、常に映像信号Ｄ１１の入力される画素になることが想定されているからである。
【０１５８】
したがって、図８や図９に示すような接続方法に対応させるには、出力端子ｇ（２４）（＝出力端子ｇ（Ｓ））に映像信号Ｄ１１が対応する場合や、出力端子ｂ（２４）（＝出力端子ｂ（Ｓ））に映像信号Ｄ１１が対応する場合において、若干異なる数式を用いなければならない。具体的には以下のような式になる。
【０１５９】
先ず、出力端子ｇ（Ｓ）に映像信号Ｄ１１が対応する場合は、以下のように数式を設定する。
【０１６０】
【数１】
2005321659.tif 000003
【０１６１】
また、出力端子ｂ（Ｓ）に映像信号Ｄ１１が対応する場合は、以下のように数式を設定する。
【０１６２】
【数２】
2005321659.tif 000004
【０１６３】
すなわち、上記数式においては、下線部分のみが図７の接続方法について設定された数式から変更されていることがわかる。
【０１６４】
これらの式の下線部を一般化すると、
Ｒ（ｔ）＝Ｄｒｘｒｙ
Ｇ（ｔ）＝Ｄｇｘｇｙ
Ｂ（ｔ）＝Ｄｂｘｂｙ
ｒｘ＝｛３（ｔ−Ｓ）＋Ａ＋１｝−Ｊ・Int[｛３（ｔ−Ｓ）＋Ａ｝／Ｊ]
ｒｙ＝Int[｛３（ｔ−Ｓ）＋Ａ｝／Ｊ]＋１
ｇｘ＝｛３（ｔ−Ｓ）＋Ａ＋２｝−Ｊ・Int[｛３（ｔ−Ｓ）＋Ａ＋１｝／Ｊ]
ｇｙ＝Int[｛３（ｔ−Ｓ）＋Ａ＋１｝／Ｊ]＋１
ｂｘ＝｛３（ｔ−Ｓ）＋Ａ＋３｝−Ｊ・Int[｛３（ｔ−Ｓ）＋Ａ＋２｝／Ｊ]
ｂｙ＝Int[｛３（ｔ−Ｓ）＋Ａ＋２｝／Ｊ]＋１
であり、
（１）ｒ（Ｓ）にＤ１１がくる場合、Ａ＝０
（２）ｇ（Ｓ）にＤ１１がくる場合、Ａ＝−１
（３）ｂ（Ｓ）にＤ１１がくる場合、Ａ＝−２
（Int[  ]は、括弧内の小数点以下を切り捨てた値が出力される。また、Ｓは（１）〜（３）に場合分けした際に映像信号Ｄ１１に対応する出力端子ｒ（）ｇ（）ｂ（）いずれかの括弧内の数字が返される。）
となる。
【０１６５】
本実施例の図８に示す接続方法では、映像信号Ｄ１１が出力端子ｇ（２４）に対応するので、Ａ＝−１、Ｓ＝２４として上式をもちいて計算すると、ソースドライバ３の出力端子ｇ（２４）からは映像信号Ｄ１１が出力され、出力端子ｂ（２４）からは映像信号Ｄ２１が出力され、出力端子ｒ（２４）からは映像信号Ｄ３１が出力され、出力端子ｇ（２５）からは映像信号Ｄ４１が出力され、出力端子ｂ（２５）からは映像信号Ｄ１２が出力されるようにすることができる。
【０１６６】
ただし、ｔ＜２４（＝Ｓ）の時、すなわち未使用の出力端子に相当する部分に関しては、ｒｙ、ｇｙ、ｂｙなどが０または負の値になり、そのようなＪ原色の映像信号は存在しないものとして算出される。よって、ｔは２４（＝Ｓ）以上になってはじめて有効になる。また、ｔ＝２４の時でも、ｒｙが０になるため、出力端子ｒ（２４）に対する映像信号は存在しない。
【０１６７】
このようにすることにより、ソースドライバ３から画像表示パネル７へ出力される映像信号Ｒ（ｔ）・Ｇ（ｔ）・Ｂ（ｔ）により表示される原色の順番を、図８に示す画像表示パネル７における画素に付された原色の順番に一致させることができる。
【０１６８】
また、本実施例の図９に示す接続では、映像信号Ｄ１１が出力端子ｂ（４７）に対応するので、Ａ＝−２、Ｓ＝４７として上式をもちいて計算すると、ソースドライバ３の出力端子ｂ（４７）からは映像信号Ｄ１１が出力され、出力端子ｒ（４８）からは映像信号Ｄ２１が出力され、出力端子ｇ（４８）からは映像信号Ｄ３１が出力され、出力端子ｂ（４８）からは映像信号Ｄ４１が出力され、出力端子ｒ（４９）からは映像信号Ｄ１２が出力されるようにすることができる。
【０１６９】
ただし、ｔ＜４７（＝Ｓ）の時、すなわち未使用の出力に相当する部分に関しては、ｒｙ、ｇｙ、ｂｙなどが０または負の値になり、そのようなＪ原色の映像信号は存在しないものとして算出される。また、ｔ＝４７の時でも、ｒｙ、ｇｙが０になるため、出力端子ｒ（４７）・ｇ（４７）に対する映像信号は存在しない。
【０１７０】
このようにすることにより、ソースドライバ３から画像表示パネル７へ出力される映像信号Ｒ（ｔ）・Ｇ（ｔ）・Ｂ（ｔ）により表示される原色の順番を、図９に示す画像表示パネル７における画素に付された原色の順番に一致させることができる。
【０１７１】
もちろん、実施例３で説明した、Ｊ系統の映像信号を３系統の映像信号に並べ替える変換処理においては、実施例２で説明した変換処理を適用することも可能である。すなわち、Ｊ系統の映像信号を一旦（Ｊ−１）系統の映像信号に並び替えた後に、その（Ｊ−１）系統の映像信号を、３系統の映像信号に並び替えてもよい。
【０１７２】
Ｊ系統の映像信号を（Ｊ−１）系統の映像信号に並び替えるための処理としては、実施例２で説明したものと同様の処理を用いることができる。すなわち、
（１）Ｊ系統の映像信号列の中から、任意に選択される２つの映像信号列に含まれる映像信号を、抽出元となる映像信号列を該２つの映像信号列から交互に選択しながら抽出するとともに、抽出された映像信号を時系列でならべて１つの映像信号列を生成する処理、
または、
（２）Ｊ系統の映像信号列の中から任意に選択される２つの映像信号列について、各映像信号列内で同じ順位で並べられている映像信号を合成するとともに、合成された映像信号を時系列でならべて１つの映像信号列を生成する処理。
【０１７３】
のいずれを用いてもよい。
【０１７４】
〔６．補足〕
上述の説明においては、たとえば図１（ｂ）に示すように、ソースドライバ３の左端と画像表示パネル５の左端とが一致している構成について説明したが、本発明の適用範囲はこれに限定されるものではない。すなわち、ソースドライバ３の左端と画像表示パネル５の左端とがずれている場合であっても、本発明は適用可能である。
【０１７５】
また、本発明の映像信号処理回路は、上記画像表示デバイスによる画像表示に用いられるＪ原色（Ｊは４以上の整数）のそれぞれについて、各画素に入力される映像信号が時系列に沿って連続するように構成されるＪ系統の映像信号列の中から、上記画像表示デバイスにおいて各画素にＪ原色のいずれかが配色されている順番に対応させて映像信号を３つずつ順番に抽出する第１ステップと、上記第１ステップにおいて抽出された３つの映像信号のそれぞれが３つの系統のうちいずれかに属するように順次並べて３系統の映像信号列を構成する第２ステップとを備えている映像信号処理方法としても表現可能である。
【０１７６】
そして、上記映像信号処理方法における各処理ステップは、ＣＰＵなどの演算手段が、ＲＯＭ（Read Only Memory）やＲＡＭなどの記憶手段に記憶されたプログラムを実行し、キーボードなどの入力手段、ディスプレイなどの出力手段、あるいは、インターフェース回路などの通信手段を制御することにより実現することができる。
【０１７７】
したがって、これらの手段を有するコンピュータが、上記プログラムを記録した記録媒体を読み取り、当該プログラムを実行するだけで、本実施形態の信号処理回路の各種処理を実現することができる。また、上記プログラムをリムーバブルな記録媒体に記録することにより、任意のコンピュータ上で上記の各種機能および各種処理を実現することができる。
【０１７８】
この記録媒体としては、マイクロコンピュータで処理を行うために図示しないメモリ、例えばＲＯＭのようなものがプログラムメディアであっても良いし、また、図示していないが外部記憶装置としてプログラム読取り装置が設けられ、そこに記録媒体を挿入することにより読取り可能なプログラムメディアであっても良い。
【０１７９】
また、何れの場合でも、格納されているプログラムは、マイクロプロセッサがアクセスして実行される構成であることが好ましい。さらに、プログラムを読み出し、読み出されたプログラムは、マイクロコンピュータのプログラム記憶エリアにダウンロードされて、そのプログラムが実行される方式であることが好ましい。なお、このダウンロード用のプログラムは予め本体装置に格納されているものとする。
【０１８０】
また、上記プログラムメディアとしては、本体と分離可能に構成される記録媒体であり、磁気テープやカセットテープ等のテープ系、フレキシブルディスクやハードディスク等の磁気ディスクやＣＤ／ＭＯ／ＭＤ／ＤＶＤ等のディスクのディスク系、ＩＣカード（メモリカードを含む）等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムを担持する記録媒体等がある。
【０１８１】
また、インターネットを含む通信ネットワークを接続可能なシステム構成であれば、通信ネットワークからプログラムをダウンロードするように流動的にプログラムを担持する記録媒体であることが好ましい。
【０１８２】
さらに、このように通信ネットワークからプログラムをダウンロードする場合には、そのダウンロード用のプログラムは予め本体装置に格納しておくか、あるいは別な記録媒体からインストールされるものであることが好ましい。
【産業上の利用可能性】
【０１８３】
本発明によれば、多原色の映像信号に対して、一般に普及している３原色用のソースドライバを用いても多原色パネルを表示できるようになるため、多原色を用いて画像表示を行うパソコンモニタ、液晶ＴＶ、プロジェクター、携帯電話等の画像表示デバイスを安価に提供することができる。
【図面の簡単な説明】
【０１８４】
【図１】（ａ）は、Ｊ原色を表示するための映像信号およびその映像信号が３系統に並び替えられた状態の映像信号列を示す図であり、（ｂ）は、Ｊ原色の画像表示パネルとソースドライバとを接続した状態を示す図である。
【図２】本発明の一実施形態に係る映像信号処理回路を用いる画像表示デバイスの構成を示すブロック図である。
【図３】（ａ）は、５原色を表示するための映像信号およびその映像信号が３系統に並び替えられた状態の映像信号列を示す図であり、（ｂ）は、５原色の画像表示パネルとソースドライバとを接続した状態を示す図である。
【図４】（ａ）は、５原色を表示するための映像信号およびその映像信号が３系統に並び替えられた状態の映像信号列を示す図であり、（ｂ）は、５原色の画像表示パネルとソースドライバとを接続した状態を示す図である。
【図５】（ａ）は、他の５原色の画像表示パネルとソースドライバとを示す図であり、（ｂ）は、（ａ）に示す画像表示パネルとソースドライバとの接続状態を示す図である。
【図６】画像表示パネルに接続されない出力端子が、ソースドライバの後半に配される接続方法を示す図である。
【図７】画像表示パネルに接続される出力端子が、ソースドライバの中央付近に配される接続方法を示す図である。
【図８】画像表示パネルに接続される出力端子が、ソースドライバの中央付近に配される別の接続方法を示す図である。
【図９】画像表示パネルに接続されない出力端子が、ソースドライバの前半に配される接続方法を示す図である。
【図１０】ＲＧＢ色を用いて画像表示を行う画像表示パネルと、ソースドライバおよびゲートドライバとの接続状態を示す図である。
【図１１】ＲＧＢの３色により画像表示を行うための映像信号の構成を示す図である。
【図１２】図１１の映像信号を、奇数ラインの映像信号と偶数ラインの映像信号とに分離した状態を示す図である。
【図１３】図１２の映像信号を、奇数ラインのソースバスラインおよび偶数ラインのソースバスラインとに入力する状態を示す図である。
【図１４】多原色用のソースドライバを用いてＪ原色の画像表示パネルによる画像表示を行うための構成を示すブロック図である。
【符号の説明】
【０１８５】
１  映像信号処理回路
３  ソースドライバ
５  表示パネル
【図１】
2005321659.tif 000005
【図２】
2005321659.tif 000006
【図３】
2005321659.tif 000007
【図４】
2005321659.tif 000008
【図５】
2005321659.tif 000009
【図６】
2005321659.tif 000010
【図７】
2005321659.tif 000011
【図８】
2005321659.tif 000012
【図９】
2005321659.tif 000013
【図１０】
2005321659.tif 000014
【図１１】
2005321659.tif 000015
【図１２】
2005321659.tif 000016
【図１３】
2005321659.tif 000017
【図１４】
2005321659.tif 000018